(57)【要約】【課題】複数機能を備えた画像形成装置において、複数機能を備えた故に生じる問題を解決し各機能を最大限に活用することができる画像形成装置の提供。【解決手段】複写機能、ファクシミリ機能、及びプリンタ機能のうちの少なくとも一つの機能を有する画像形成装置において、画像データを獲得する獲得手段（５０、５６、５８）と、獲得された画像データを記憶する記憶手段（４４、３７、３８）と、各機能により異なる画像データの獲得時の特徴に基づいて、記憶手段に記憶された画像データの上下左右を判断する判断手段（３０）と、この判断手段による判断結果を反映して画像データに基づく画像処理を実行する画像処理手段（４２）と、この画像処理手段による画像処理後の画像データに基づき画像を形成する画像形成手段（５２）とを備えている。【選択図】図３
2005304032.tif 000002
【特許請求の範囲】
【請求項１】
複写対象となる画像データを獲得しこの画像データに基づく画像形成処理を実行する複写機能、ファクシミリ送信対象又は受信対象となる画像データを獲得して送信対象となる画像データを送信し受信対象となる画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する記憶手段と、
前記機能により異なる画像データの獲得時の特徴に基づいて、前記記憶手段に記憶された画像データの上下左右方向を判断する判断手段と、
前記判断手段による判断結果に基づいて、前記記憶手段に記憶された画像データに画像処理を行う画像処理手段と、
前記画像処理手段による画像処理後の画像データに基づく画像を形成する画像形成手段と、
を備えたことを特徴とする画像形成装置。
【請求項２】
複写対象となる画像データを獲得しこの画像データに基づく画像形成処理を実行する複写機能、ファクシミリ送信対象又は受信対象となる画像データを獲得して送信対象となる画像データを送信し受信対象となる画像データに基づく画像形成処理を実行するファクシミリ機能、及びプリント対象となる画像データを獲得しこの画像データに基づく画像形成処理を実行するプリンタ機能のうちの少なくともファクシミリ機能を有する画像形成装置において、
画像データを獲得する獲得手段と、
前記獲得手段により獲得された画像データを記憶する記憶手段と、
画像を被画像形成媒体の特定の頂点方向に寄せて形成するため、被画像形成媒体上における特定の頂点を指定する第１の頂点指定手段と、
前記第１の頂点指定手段により指定された被画像形成媒体上における特定の頂点に相当する頂点を、前記機能により異なる画像データの獲得時の特徴に基づいて画像データ記憶領域上に指定する第２の頂点指定手段と、
前記第２の頂点指定手段により指定された画像データ記憶領域上の頂点方向に寄せて画像データを展開し、この画像データ記憶領域上に展開された画像データに基づく画像を形成するコーナリング処理を実行する第１の画像形成手段と、
画像データ記憶領域上に画像データをセンタリングして展開し、この画像データ記憶領域上に展開された画像データに基づく画像を形成するセンタリング処理を実行する第２の画像形成手段と、
前記ファクシミリ機能において前記第１又は第２の画像形成手段による処理が指示されたとき、副走査方向に対するコーナリング処理、又はセンタリング処理を無効とする制御手段と、
を備えたことを特徴とする画像形成装置。
【請求項３】
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する記憶手段と、
２頁分又は４頁分の画像データを一枚の被画像形成媒体に形成するため、原稿の縦書き又は横書きの情報に加えて前記機能により異なる画像データの獲得時の特徴に基づいて画像データ記憶領域上への複数頁分の一連の画像データの展開順序及び展開位置を決定する決定手段と、
前記決定手段による決定結果に基づいて、２頁分又は４頁分の画像データを縮小して１頁分の画像データ記憶領域上へ展開し、この１頁分の画像データ記憶領域上に展開された２頁分又は４頁分の画像データに基づく画像を一枚の被画像形成媒体に形成する画像形成手段と、
を備えたことを特徴とする画像形成装置。
【請求項４】
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能のうちの少なくともファクシミリ機能を有する画像形成装置において、
画像データを獲得する獲得手段と、
前記獲得手段により獲得された画像データを記憶する記憶手段と、
複数頁分の一連の画像データを一枚の被画像形成媒体に形成するため、前記機能により異なる画像データの獲得時の特徴に基づいて画像データ記憶領域上への複数頁分の一連の画像データの展開順序及び展開位置を決定する決定手段と、
前記決定手段による決定結果に基づいて、複数頁分の一連の画像データを縮小して画像データ記憶領域上へ展開し、この画像データ記憶領域上に展開された複数頁分の一連の画像データに基づく画像を一枚の被画像形成媒体に形成する連結処理を実行する画像形成手段と、
前記ファクシミリ機能における連結処理を許可する解像度の下限を予め指定する指定手段と、
前記指定手段により指定された解像度より、前記ファクシミリ機能において獲得された画像データの解像度が低い場合には、この画像データに基づき実行される連結処理を無効とする制御手段と、
を備えたことを特徴とする画像形成装置。
【請求項５】
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する記憶手段と、
前記記憶手段に記憶された画像データに基づく画像を綴じ代が指定された被画像形成媒体の第１面及び第２面に形成するとき、第１面及び第２面に形成される画像の結合軸を綴じ代方向に決定する決定手段と、
前記決定手段により決定された綴じ代方向の結合軸で被画像形成媒体の第１面及び第２面に形成される画像が結合するように、第１面及び第２面に形成される画像データを展開して、この展開された画像データに基づき画像を形成する画像形成手段と、
を備えたことを特徴とする画像形成装置。
【請求項６】
複写対象となる画像データを獲得しこの画像データに基づく画像形成処理を実行する複写機能、及びファクシミリ送信対象となる画像データを獲得してこの画像データを送信するファクシミリ機能のうちの少なくとも一つの機能を有する画像形成装置において、
原稿の第１面及び第２面から得られる画像データを獲得する獲得手段と、
前記獲得手段により獲得された画像データを記憶する記憶手段と、
前記記憶手段に記憶された画像データに基づく画像を被画像形成媒体の第１面及び第２面に形成するとき、第１面と第２面の位置関係が原稿と同じになるように、前記機能により異なる画像データの獲得時の特徴に基づいて原稿の第１面又は第２面から得られた画像データに対して必要に応じて回転処理を加える回転処理手段と、
前記獲得手段により獲得され、必要に応じて回転処理が加えられた画像データに基づき画像形成処理を実行する画像形成手段と、
を備えたことを特徴とする画像形成装置。
【請求項７】
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する第１の記憶手段と、
前記第１の記憶手段に記憶された画像データに対して、必要に応じて画像回転データに従い画像回転処理を行う回転処理手段と、
前記獲得手段により獲得され、必要に応じて回転処理が加えられた画像データに基づく画像を被画像形成媒体に形成する画像形成手段と、
前記画像形成手段により画像が形成された被画像形成媒体を保持する媒体保持手段と、
前記媒体保持手段に保持された被画像形成媒体にステープル処理を行うものであって、被画像形成媒体に対するステープル位置が固定の第１のステープル処理、又は被画像形成媒体に対するステープル位置が所定位置に可変の第２のステープル処理のうちのどちらか一方によるステープル処理が実行可能なステープル手段と、
前記第１のステープル処理により目的位置にステープル処理を行うために必要とされる第１の画像回転データ、及び前記第２のステープル処理により目的位置にステープル処理を行うために必要とされる第２の画像回転データを記憶する第２の記憶手段と、
前記第１のステープル処理実行時には前記第１の画像回転データに従った画像回転処理、前記第２のステープル処理実行時には前記第２の画像回転データに従った画像回転処理を前記回転処理手段に指示する制御手段と、
を備えたことを特徴とする画像形成装置。
【請求項８】
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する記憶手段と、
画像データにより指定される指定サイズの被画像形成媒体に、この画像データに基づく画像を形成する第１の画像形成手段と、
画像データにより指定される指定サイズの被画像形成媒体を得ることができないとき、指定サイズと異なるサイズの被画像形成媒体にこの画像データに基づく画像を形成する第２の画像形成手段と、
画像データにより指定される指定サイズの被画像形成媒体を得ることができないとき、この画像データに基づく画像形成処理を中断する中断手段と、
画像データにより指定される指定サイズの被画像形成媒体を得ることができないとき、機能に応じて前記第２の画像形成手段による処理、又は前記中断手段による処理を指示する制御手段と、
を備えたことを特徴とする画像形成装置。
【発明の詳細な説明】
【技術分野】
【０００１】
この発明は、複写機能、ファクシミリ機能、及びプリンタ機能等の複数の機能を有する画像形成装置に関する。
【背景技術】
【０００２】
近年、複写機能、ファクシミリ機能、及びプリンタ機能等の複数の機能を有する画像形成装置、いわゆる複合型画像形成装置（又はマルチファンクション型複写装置）の開発が盛んに進められている。このような画像形成装置は、一台で、複写機、ファクシミリ、及びプリンタ等の複数の役割を果たすことができる。
【発明の開示】
【発明が解決しようとする課題】
【０００３】
上記したような画像形成装置は、一台で複数の役割を果たすことができる反面、各機能夫々の使い勝手が十分とは言えない。
【０００４】
その一例として、印刷順序について説明する。印刷順序には、先頭頁から最終頁まで順に印刷する昇順、及び最終頁から先頭頁まで順に印刷する降順の２種類がある。一般的に、複写機能実行時には、複写対象となる画像データが原稿の最終頁から順に獲得されることから印刷順序は降順となる。ファクシミリ機能及びプリンタ機能実行時には、印刷対象となる画像データが原稿の先頭頁から順に獲得されることから印刷順序は昇順となる。印刷順序に関係なく、印刷された面を表に向けて排出したり、或いは裏に向けて排出したりすると、原稿の前後関係と印刷結果の前後関係が一致しなくなってしまう。
【０００５】
このように、複数機能を備えた画像形成装置には、複数機能を備えた故に生じる問題がある。この発明の目的は、上記したような事情に鑑み成されたものであって、複数機能を備えた画像形成装置において、複数機能を備えた故に生じる問題を解決し各機能を最大限に活用することができる画像形成装置を提供することにある。
【課題を解決するための手段】
【０００６】
この発明は、上記問題点に基づきなされたもので、
この発明によれば、
一連の原稿の画像データから成る画像データファイルを獲得する獲得手段と、
前記獲得手段により獲得された画像データファイルを記憶する記憶手段と、
前記記憶手段に記憶された画像データファイルに基づく画像を原稿の先頭頁に相当するものから順に被画像形成媒体に形成する第１の画像形成モード、及び原稿の最終頁に相当するものから順に被画像形成媒体に形成する第２の画像形成モードを実行する画像形成手段と、
前記画像形成手段により画像形成処理を受けた被画像形成媒体を画像形成処理順に積み上げて排出するとき、前記第１の画像形成モードにより画像形成処理を受けた被画像形成媒体は画像が形成された面を積み上げられる方向と反対方向に向けて排出し、前記第２の画像形成モードにより画像形成処理を受けた被画像形成媒体は画像が形成された面を積み上げられる方向に向けて排出する排出手段と、
を備えたことを特徴とする画像形成装置が提供される。
【０００７】
また、この発明によれば、
複写対象となる画像データファイルを獲得しこの画像データファイルに基づく画像形成処理を実行する複写機能、ファクシミリ受信対象となる画像データファイルを獲得しこの画像データファイルに基づく画像形成処理を実行するファクシミリ機能、及びプリント対象となる画像データファイルを獲得しこの画像データファイルに基づく画像形成処理を実行するプリンタ機能のうちの少なくとも一つの機能を有する画像形成装置において、
一連の原稿の画像データから成る画像データファイルを獲得する獲得手段と、
前記獲得手段により獲得された画像データファイルを記憶する記憶手段と、
前記記憶手段に記憶された画像データファイルに基づく画像を原稿の先頭頁に相当するものから順に被画像形成媒体に形成する第１の画像形成モード、及び原稿の最終頁に相当するものから順に被画像形成媒体に形成する第２の画像形成モードを実行する画像形成手段と、
前記画像形成手段により画像形成処理を受けた被画像形成媒体を画像形成処理順に積み上げて排出するとき、前記第１の画像形成モードにより片面だけに画像形成処理を受けた被画像形成媒体は画像が形成された面を積み上げられる方向と反対方向に向けて排出し、前記第１の画像形成モードにより両面に画像形成処理を受けた被画像形成媒体は先頭頁又は先頭頁に近い頁の画像が形成された面を積み上げられる方向と反対方向に向けて排出し、前記第２の画像形成モードにより片面だけに画像形成処理を受けた被画像形成媒体は画像が形成された面を積み上げられる方向に向けて排出し、前記第２の画像形成モードにより両面に画像形成処理を受けた被画像形成媒体は先頭頁又は先頭頁に近い頁の画像が形成された面を積み上げられる方向に向けて排出する排出手段と、
を備えたことを特徴とする画像形成装置が提供される。
【０００８】
さらに、この発明によれば、
複写対象となる画像データファイルを獲得しこの画像データファイルに基づく画像形成処理を実行する複写機能、ファクシミリ受信対象となる画像データファイルを獲得しこの画像データファイルに基づく画像形成処理を実行するファクシミリ機能、及びプリント対象となる画像データファイルを外部装置から獲得しこの画像データファイルに基づく画像形成処理を実行するプリンタ機能を有する画像形成装置において、
一連の原稿の画像データから成る画像データファイルを獲得するとき、前記複写機能においては原稿の最終頁に相当する画像データから順に獲得し、前記ファクシミリ機能においては原稿の先頭頁に相当する画像データから順に獲得し、前記プリンタ機能においては前記外部装置からの指示に従い原稿の先頭頁に相当する画像データから順に獲得するか又は最終頁に相当する画像データから順に獲得するか選択して獲得する獲得手段と、
前記獲得手段により獲得された画像データファイルを記憶する記憶手段と、
前記記憶手段に記憶された画像データファイルに基づく画像を原稿の先頭頁に相当するものから順に被画像形成媒体に形成する第１の画像形成モード、及び原稿の最終頁に相当するものから順に被画像形成媒体に形成する第２の画像形成モードを実行する画像形成手段と、
前記複写機能により獲得された画像データファイルに基づく画像を形成する場合には前記第２の画像形成モードを選択し、所定の容量以上の記憶媒体を持つ場合に、前記ファクシミリ機能により獲得された画像データファイルに基づく画像を形成する場合には前記第２の画像形成モードを選択し、所定の記憶容量分の記憶媒体を持たない場合に、前記ファクシミリ機能により獲得された画像データファイルに基づく画像を形成する場合には前記第１の画像形成モードを選択し、前記プリンタ機能により獲得された画像データファイルに基づく画像を形成する場合には前記外部装置からの指示に従い前記第１及び第２の画像形成モードのいずれかを選択する選択手段と、
前記画像形成手段により画像形成処理を受けた被画像形成媒体を画像形成処理順に積み上げて排出するとき、前記第１の画像形成モードにより片面だけに画像形成処理を受けた被画像形成媒体は画像が形成された面を積み上げられる方向と反対方向に向けて排出し、前記第１の画像形成モードにより両面に画像形成処理を受けた被画像形成媒体は先頭頁又は先頭頁に近い頁の画像が形成された面を積み上げられる方向と反対方向に向けて排出し、前記第２の画像形成モードにより片面だけに画像形成処理を受けた被画像形成媒体は画像が形成された面を積み上げられる方向に向けて排出し、前記第２の画像形成モードにより両面に画像形成処理を受けた被画像形成媒体は先頭頁又は先頭頁に近い頁の画像が形成された面を積み上げられる方向に向けて排出する排出手段と、
を備えたことを特徴とする画像形成装置。
【０００９】
またさらに、この発明によれば、
一連の原稿の画像データから成る画像データファイルを原稿の先頭頁に相当する画像データ又は原稿の最終頁に相当する画像データから順に獲得する獲得手段と、
前記獲得手段により獲得された画像データファイルを記憶する記憶手段と、
前記獲得手段により原稿の先頭頁に相当する画像データから順に獲得された画像データファイルを前記記憶手段に記憶する過程において、この記憶手段の記憶容量の残量が所定値以下になったときにはこの所定の画像データファイルに基づく画像を原稿の先頭頁に相当するものから順に被画像形成媒体に形成する第１の画像形成モードを実行し、原稿の最終頁に相当する画像データから順に獲得された画像データファイルを前記記憶手段に記憶する過程において、この記憶手段の記憶容量の残量が所定値以下になったときにはこの所定の画像データファイルに基づく画像を原稿の最終頁に相当するものから順に被画像形成媒体に形成する第２の画像形成モードを実行する画像形成手段と、
前記画像形成手段により画像形成処理を受けた被画像形成媒体を画像形成処理順に積み上げて排出するとき、前記第１の画像形成モードにより片面だけに画像形成処理を受けた被画像形成媒体は画像が形成された面を積み上げられる方向と反対方向に向けて排出し、前記第１の画像形成モードにより両面に画像形成処理を受けた被画像形成媒体は先頭頁又は先頭頁に近い頁の画像が形成された面を積み上げられる方向と反対方向に向けて排出し、前記第２の画像形成モードにより片面だけに画像形成処理を受けた被画像形成媒体は画像が形成された面を積み上げられる方向に向けて排出し、前記第２の画像形成モードにより両面に画像形成処理を受けた被画像形成媒体は先頭頁又は先頭頁に近い頁の画像が形成された面を積み上げられる方向に向けて排出する排出手段と、
を備えたことを特徴とする画像形成装置が提供される。
【００１０】
さらにまた、この発明によれば、
ファクシミリ受信対象となる画像データファイルを獲得しこの画像データファイルに基づく画像形成処理を実行するファクシミリ機能、及びプリント対象となる画像データファイルを獲得しこの画像データファイルに基づく画像形成処理を実行するプリンタ機能のうちの少なくとも一方の機能を有する画像形成装置において、
前記機能により獲得された画像データファイルを記憶する記憶手段と、
前記機能により獲得された所定の画像データファイルを前記記憶手段に記憶する過程において、この記憶手段の記憶容量の残量が所定値以下になったとき、この所定の画像データファイルが先頭頁から順に獲得されたファイルのときにはこの所定の画像データファイルに基づく画像を先頭頁から順に被画像形成媒体に形成する第１の画像形成モードを実行し、この所定の画像データファイルが最終頁から順に獲得されたファイルのときにはこの所定の画像データファイルに基づく画像を最終頁から順に被画像形成媒体に形成する第２の画像形成モードを実行する画像形成手段と、
前記画像形成手段により画像形成処理を受けた被画像形成媒体を画像形成処理順に積み上げて排出するとき、前記第１の画像形成モードにより片面だけに画像形成処理を受けた被画像形成媒体は画像が形成された面を積み上げられる方向と反対方向に向けて排出し、前記第１の画像形成モードにより両面に画像形成処理を受けた被画像形成媒体は先頭頁又は先頭頁に近い頁の画像が形成された面を積み上げられる方向と反対方向に向けて排出し、前記第２の画像形成モードにより片面だけに画像形成処理を受けた被画像形成媒体は画像が形成された面を積み上げられる方向に向けて排出し、前記第２の画像形成モードにより両面に画像形成処理を受けた被画像形成媒体は先頭頁又は先頭頁に近い頁の画像が形成された面を積み上げられる方向に向けて排出する排出手段と、
を備えたことを特徴とする画像形成装置が提供される。
【００１１】
またさらに、この発明によれば、
複写対象となる画像データを獲得しこの画像データに基づく画像形成処理を実行する複写機能、ファクシミリ送信対象又は受信対象となる画像データを獲得して送信対象となる画像データを送信し受信対象となる画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する記憶手段と、
前記機能により異なる画像データの獲得時の特徴に基づいて、前記記憶手段に記憶された画像データの上下左右方向を判断する判断手段と、
前記判断手段による判断結果に基づいて、前記記憶手段に記憶された画像データに画像処理を行う画像処理手段と、
前記画像処理手段による画像処理後の画像データに基づく画像を形成する画像形成手段と、
を備えたことを特徴とする画像形成装置が提供される。
【００１２】
さらにまた、この発明によれば、
複写対象となる画像データを獲得しこの画像データに基づく画像形成処理を実行する複写機能、ファクシミリ送信対象又は受信対象となる画像データを獲得して送信対象となる画像データを送信し受信対象となる画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する記憶手段と、
画像を被画像形成媒体の特定の頂点方向に寄せて形成するため、被画像形成媒体上における特定の頂点を指定する第１の頂点指定手段と、
前記第１の頂点指定手段により指定された被画像形成媒体上における特定の頂点に相当する頂点を、前記機能により異なる画像データの獲得時の特徴に基づいて画像データ記憶領域上に指定する第２の頂点指定手段と、
前記第２の頂点指定手段により指定された画像データ記憶領域上の頂点方向に寄せて画像データを展開し、この画像データ記憶領域上に展開された画像データに基づく画像を形成する画像形成手段と、
を備えたことを特徴とする画像形成装置が提供される。
【００１３】
またさらに、この発明によれば、
複写対象となる画像データを獲得しこの画像データに基づく画像形成処理を実行する複写機能、ファクシミリ送信対象又は受信対象となる画像データを獲得して送信対象となる画像データを送信し受信対象となる画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する記憶手段と、
被画像形成媒体の特定の領域に余白を残して画像を形成するため、被画像形成媒体上における特定の領域を指定する第１の領域指定手段と、
前記第１の領域指定手段により指定された被画像形成媒体上における特定の領域に相当する領域を、前記機能により異なる画像データの獲得時の特徴に基づいて画像データ記憶領域上に指定する第２の領域指定手段と、
前記第２の領域指定手段により指定された画像データ記憶領域上の領域外に画像データを展開し、この画像データ記憶領域上に展開された画像データに基づく画像を形成する画像形成手段と、
を備えたことを特徴とする画像形成装置が提供される。
【００１４】
さらにまた、この発明によれば、
複写対象となる画像データを獲得しこの画像データに基づく画像形成処理を実行する複写機能、ファクシミリ送信対象又は受信対象となる画像データを獲得して送信対象となる画像データを送信し受信対象となる画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する記憶手段と、
画像を被画像形成媒体の特定の頂点方向に寄せて形成するため、被画像形成媒体上における特定の頂点を指定する第１の頂点指定手段と、
前記第１の頂点指定手段により指定された被画像形成媒体上における特定の頂点に相当する頂点を、前記機能により異なる画像データの獲得時の特徴に基づいて画像データ記憶領域上に指定する第２の頂点指定手段と、
前記第２の頂点指定手段により指定された画像データ記憶領域上の頂点方向に寄せて画像データを展開し、この画像データ記憶領域上に展開された画像データに基づく画像を形成するコーナリング処理を実行する第１の画像形成手段と、
画像データ記憶領域上に画像データをセンタリングして展開し、この画像データ記憶領域上に展開された画像データに基づく画像を形成するセンタリング処理を実行する第２の画像形成手段と、
被画像形成媒体の特定の領域に綴じ代としての余白を残して画像を形成するため、被画像形成媒体上における特定の領域を指定する第１の領域指定手段と、
前記第１の領域指定手段により指定された被画像形成媒体上における特定の領域に相当する領域を、前記機能により異なる画像データの獲得時の特徴に基づいて画像データ記憶領域上に指定する第２の領域指定手段と、
前記第２の領域指定手段により指定された画像データ記憶領域上の領域外に画像データを展開し、この画像データ記憶領域上に展開された画像データに基づく画像を形成する綴じ代処理を実行する第３の画像形成手段と、
前記第１又は第２の画像形成手段と前記第３の画像形成手段による処理が重複して指示されたとき、この第３の画像形成手段により綴じ代として残される余白の方向に対するコーナリング処理及びセンタリング処理を無効とし、画像データ記憶領域上にこの綴じ代として残される余白方向に対して画像を寄せて展開し、この画像データ記憶領域上に展開された画像データに基づく画像を形成する第４の画像形成手段と、
を備えたことを特徴とする画像形成装置が提供される。
【００１５】
またさらに、この発明によれば、
複写対象となる画像データを獲得しこの画像データに基づく画像形成処理を実行する複写機能、ファクシミリ送信対象又は受信対象となる画像データを獲得して送信対象となる画像データを送信し受信対象となる画像データに基づく画像形成処理を実行するファクシミリ機能、及びプリント対象となる画像データを獲得しこの画像データに基づく画像形成処理を実行するプリンタ機能のうちの少なくともファクシミリ機能を有する画像形成装置において、
画像データを獲得する獲得手段と、
前記獲得手段により獲得された画像データを記憶する記憶手段と、
画像を被画像形成媒体の特定の頂点方向に寄せて形成するため、被画像形成媒体上における特定の頂点を指定する第１の頂点指定手段と、
前記第１の頂点指定手段により指定された被画像形成媒体上における特定の頂点に相当する頂点を、前記機能により異なる画像データの獲得時の特徴に基づいて画像データ記憶領域上に指定する第２の頂点指定手段と、
前記第２の頂点指定手段により指定された画像データ記憶領域上の頂点方向に寄せて画像データを展開し、この画像データ記憶領域上に展開された画像データに基づく画像を形成するコーナリング処理を実行する第１の画像形成手段と、
画像データ記憶領域上に画像データをセンタリングして展開し、この画像データ記憶領域上に展開された画像データに基づく画像を形成するセンタリング処理を実行する第２の画像形成手段と、
前記ファクシミリ機能において前記第１又は第２の画像形成手段による処理が指示されたとき、副走査方向に対するコーナリング処理、又はセンタリング処理を無効とする制御手段と、
を備えたことを特徴とする画像形成装置が提供される。
【００１６】
さらにまた、この発明によれば、
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する記憶手段と、
複数頁分の一連の画像データを一枚の被画像形成媒体に形成するため、前記機能により異なる画像データの獲得時の特徴に基づいて１頁分の画像データ記憶領域上への複数頁分の一連の画像データの展開順序及び展開位置を決定する決定手段と、
前記決定手段による決定結果に基づいて、複数頁分の一連の画像データを１頁分の画像データ記憶領域上へ展開し、この１頁分の画像データ記憶領域上に展開された複数頁分の一連の画像データに基づく画像を一枚の被画像形成媒体に形成する画像形成手段と、
を備えたことを特徴とする画像形成装置が提供される。
【００１７】
またさらに、この発明によれば、
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する記憶手段と、
２頁分又は４頁分の画像データを一枚の被画像形成媒体に形成するため、原稿の縦書き又は横書きの情報に加えて前記機能により異なる画像データの獲得時の特徴に基づいて画像データ記憶領域上への複数頁分の一連の画像データの展開順序及び展開位置を決定する決定手段と、
前記決定手段による決定結果に基づいて、２頁分又は４頁分の画像データを縮小して１頁分の画像データ記憶領域上へ展開し、この１頁分の画像データ記憶領域上に展開された２頁分又は４頁分の画像データに基づく画像を一枚の被画像形成媒体に形成する画像形成手段と、
を備えたことを特徴とする画像形成装置が提供される。
【００１８】
さらにまた、この発明によれば、
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能のうちの少なくともファクシミリ機能を有する画像形成装置において、
画像データを獲得する獲得手段と、
前記獲得手段により獲得された画像データを記憶する記憶手段と、
複数頁分の一連の画像データを一枚の被画像形成媒体に形成するため、前記機能により異なる画像データの獲得時の特徴に基づいて画像データ記憶領域上への複数頁分の一連の画像データの展開順序及び展開位置を決定する決定手段と、
前記決定手段による決定結果に基づいて、複数頁分の一連の画像データを縮小して画像データ記憶領域上へ展開し、この画像データ記憶領域上に展開された複数頁分の一連の画像データに基づく画像を一枚の被画像形成媒体に形成する連結処理を実行する画像形成手段と、
前記ファクシミリ機能における連結処理を許可する解像度の下限を予め指定する指定手段と、
前記指定手段により指定された解像度より、前記ファクシミリ機能において獲得された画像データの解像度が低い場合には、この画像データに基づき実行される連結処理を無効とする制御手段と、
を備えたことを特徴とする画像形成装置が提供される。
【００１９】
またさらに、この発明によれば、
複写対象となる画像データを獲得しこの画像データに基づく画像形成処理を実行する複写機能、及びファクシミリ送信対象となる画像データを獲得しこの画像データを送信するファクシミリ機能のうちの少なくとも一つの機能を有する画像形成装置において、
一枚の原稿から得られる画像データを分割して獲得する獲得手段と、
前記獲得手段により獲得された分割画像データを記憶する記憶手段と、
前記記憶手段に記憶された分割画像データ夫々を一枚の被画像形成媒体に出力するため、前記機能により異なる画像データの獲得時の特徴に基づいて画像データ記憶領域上への分割画像データの展開順序及び展開位置を決定する決定手段と、
前記決定手段による決定結果に基づいて、分割画像データ夫々を画像画像データ記憶領域上へ展開し、この画像データ記憶領域上に展開された分割画像データに基づく画像を一枚の被画像形成媒体に形成する画像形成手段と、
を備えたことを特徴とする画像形成装置が提供される。
【００２０】
さらにまた、この発明によれば、
複写対象となる画像データを獲得しこの画像データに基づく画像形成処理を実行する複写機能、及びファクシミリ送信対象となる画像データを獲得しこの画像データを送信するファクシミリ機能のうちの少なくとも一つの機能を有する画像形成装置において、
一枚の原稿から得られる画像データを２頁分又は４頁分の画像データに分割して獲得する獲得手段と、
前記獲得手段により獲得された分割画像データを記憶する記憶手段と、
前記記憶手段に記憶された分割画像データ夫々を一枚の被画像形成媒体に出力するため、原稿の縦書き又は横書きの情報に加えて前記機能により異なる画像データの獲得時の特徴に基づいて１頁分の画像データ記憶領域上への分割画像データ夫々の展開順序及び展開位置を決定する決定手段と、
前記決定手段による決定結果に基づいて、分割画像データ夫々を１頁分の画像画像データ記憶領域上へ展開し、この１頁分の画像データ記憶領域上に展開された分割画像データに基づく画像を一枚の被画像形成媒体に形成する画像形成手段と、
を備えたことを特徴とする画像形成装置が提供される。
【００２１】
またさらに、この発明によれば、
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
主走査方向及び副走査方向で規定された画像データを獲得する獲得手段と、
前記獲得手段により獲得された画像データを記憶する記憶手段と、
前記記憶手段に記憶された画像データに基づく画像を被画像形成媒体の第１面及び第２面に形成するとき、前記機能により異なる画像データの獲得時の特徴に基づいて第１面及び第２面に形成される画像の結合軸を主走査方向又は副走査方向に決定する決定手段と、
前記決定手段により決定された主走査方向又は副走査方向の結合軸で被画像形成媒体の第１面及び第２面に形成される画像が結合するように、第１面及び第２面に形成される画像データを展開して、この展開された画像データに基づき画像を形成する画像形成手段と、
を備えたことを特徴とする画像形成装置が提供される。
【００２２】
さらにまた、この発明によれば、
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する記憶手段と、
前記記憶手段に記憶された画像データに基づく画像を綴じ代が指定された被画像形成媒体の第１面及び第２面に形成するとき、第１面及び第２面に形成される画像の結合軸を綴じ代方向に決定する決定手段と、
前記決定手段により決定された綴じ代方向の結合軸で被画像形成媒体の第１面及び第２面に形成される画像が結合するように、第１面及び第２面に形成される画像データを展開して、この展開された画像データに基づき画像を形成する画像形成手段と、
を備えたことを特徴とする画像形成装置が提供される。
【００２３】
またさらに、この発明によれば、
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能を有する画像形成装置において、
主走査方向及び副走査方向で規定された画像データを獲得する獲得手段と、
前記獲得手段により獲得された画像データを記憶する記憶手段と、
前記記憶手段に記憶された画像データに基づく画像を被画像形成媒体の第１面及び第２面に形成する両面処理を実行するとき、前記複写機能及びプリンタ機能により獲得された画像データが両面処理対象の場合には被画像形成媒体の第１面及び第２面に形成される画像の結合軸を主走査方向に決定し、前記ファクシミリ機能により獲得された画像データが両面処理対象の場合には結合軸を副走査方向に決定する決定手段と、
前記決定手段により決定された主走査方向又は副走査方向の結合軸で被画像形成媒体の第１面及び第２面に形成される画像が結合するように、第１面及び第２面に形成される画像データを展開して、この展開された画像データに基づき画像を形成する画像形成手段と、
を備えたことを特徴とする画像形成装置が提供される。
【００２４】
さらにまた、この発明によれば、
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能を有する画像形成装置において、
主走査方向及び副走査方向で規定された画像データを獲得する獲得手段と、
前記獲得手段により獲得された画像データを記憶する記憶手段と、
前記記憶手段に記憶された画像データに基づく画像を被画像形成媒体の第１面及び第２面に形成する両面処理を実行するとき、前記複写機能及びプリンタ機能により獲得された画像データが両面処理対象で且つ被画像形成媒体に綴じ代が指定されている場合には被画像形成媒体の第１面及び第２面に形成される画像の結合軸を綴じ代方向に決定し、前記複写機能及びプリンタ機能により獲得された画像データが両面処理対象で且つ被画像形成媒体に綴じ代が指定されていない場合には結合軸を主走査方向に決定し、前記ファクシミリ機能により獲得された画像データが両面処理対象の場合には結合軸を副走査方向に決定する決定手段と、
前記決定手段により決定された綴じ代方向、主走査方向、又は副走査方向の結合軸で被画像形成媒体の第１面及び第２面に形成される画像が結合するように、第１面及び第２面に形成される画像データを展開して、この展開された画像データに基づき画像を形成する画像形成手段と、
を備えたことを特徴とする画像形成装置が提供される。
【００２５】
またさらに、この発明によれば、
複写対象となる画像データを獲得しこの画像データに基づく画像形成処理を実行する複写機能、及びファクシミリ送信対象となる画像データを獲得してこの画像データを送信するファクシミリ機能のうちの少なくとも一つの機能を有する画像形成装置において、
原稿の第１面及び第２面から得られる画像データを獲得する獲得手段と、
前記獲得手段により獲得された画像データを記憶する記憶手段と、
前記記憶手段に記憶された画像データに基づく画像を被画像形成媒体の第１面及び第２面に形成するとき、第１面と第２面の位置関係が原稿と同じになるように、前記機能により異なる画像データの獲得時の特徴に基づいて原稿の第１面又は第２面から得られた画像データに対して必要に応じて回転処理を加える回転処理手段と、
前記獲得手段により獲得され、必要に応じて回転処理が加えられた画像データに基づき画像形成処理を実行する画像形成手段と、
を備えたことを特徴とする画像形成装置が提供される。
【００２６】
さらにまた、この発明によれば、
複写対象となる画像データを獲得しこの画像データに基づく画像形成処理を実行する複写機能、及びファクシミリ送信対象となる画像データを獲得してこの画像データを送信するファクシミリ機能のうちの少なくとも一つの機能を有する画像形成装置において、
原稿の第１面及び第２面から得られる画像データを獲得する獲得手段と、
前記獲得手段により獲得された画像データを記憶する記憶手段と、
前記記憶手段に記憶された画像データに基づく画像を被画像形成媒体の第１面及び第２面に形成するとき、第１面と第２面の位置関係が原稿と同じになるように、ファクシミリ機能により獲得される原稿の第２面の画像データに対して１８０度の画像回転処理を加える回転処理手段と、
前記獲得手段により獲得され、必要に応じて回転処理が加えられた画像データに基づき画像形成処理を実行する画像形成手段と、
を備えたことを特徴とする画像形成装置が提供される。
【００２７】
またさらに、この発明によれば、
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する第１の記憶手段と、
前記第１の記憶手段に記憶された画像データに対して、必要に応じて画像回転データに従い画像回転処理を行う回転処理手段と、
前記獲得手段により獲得され、必要に応じて回転処理が加えられた画像データに基づく画像を被画像形成媒体に形成する画像形成手段と、
前記画像形成手段により画像が形成された被画像形成媒体を保持する媒体保持手段と、
前記媒体保持手段に保持された被画像形成媒体にステープル処理を行うものであって、被画像形成媒体に対するステープル位置が固定の第１のステープル処理、又は被画像形成媒体に対するステープル位置が所定位置に可変の第２のステープル処理のうちのどちらか一方によるステープル処理が実行可能なステープル手段と、
前記第１のステープル処理により目的位置にステープル処理を行うために必要とされる第１の画像回転データ、及び前記第２のステープル処理により目的位置にステープル処理を行うために必要とされる第２の画像回転データを記憶する第２の記憶手段と、
前記第１のステープル処理実行時には前記第１の画像回転データに従った画像回転処理、前記第２のステープル処理実行時には前記第２の画像回転データに従った画像回転処理を前記回転処理手段に指示する制御手段と、
を備えたことを特徴とする画像形成装置が提供される。
【００２８】
さらにまた、この発明によれば、
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する第１の記憶手段と、
前記第１の記憶手段に記憶された画像データに対して、必要に応じて画像回転データに従い画像回転処理を行う回転処理手段と、
前記獲得手段により獲得され、必要に応じて回転処理が加えられた画像データに基づく画像を被画像形成媒体に形成する画像形成手段と、
前記画像形成手段により画像が形成された被画像形成媒体を必要に応じて反転する媒体反転手段と、
前記画像形成手段により画像が形成された被画像形成媒体を保持する媒体保持手段と、
前記媒体保持手段に保持された被画像形成媒体にステープル処理を行うものであって、被画像形成媒体に対するステープル位置が固定の第１のステープル処理、又は被画像形成媒体に対するステープル位置が所定位置に可変の第２のステープル処理のうちのどちらか一方によるステープル処理が実行可能なステープル手段と、
前記第１のステープル処理により目的位置にステープル処理を行うために必要とされる第１の画像回転データ、及び前記第２のステープル処理により目的位置にステープル処理を行うために必要とされる第２の画像回転データを記憶する第２の記憶手段と、
前記第１のステープル処理実行時には前記第１の画像回転データに従った画像回転処理、前記第２のステープル処理実行時には前記第２の画像回転データに従った画像回転処理を前記回転処理手段に指示する第１の制御手段と、
前記第１又は第２のステープル処理実行時において目的位置にステープル処理を行うために被画像形成媒体の反転を前記媒体反転手段に指示する第２の制御手段と、
を備えたことを特徴とする画像形成装置が提供される。
【００２９】
またさらに、この発明によれば、
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する記憶手段と、
画像データにより指定される指定サイズの被画像形成媒体に、この画像データに基づく画像を形成する第１の画像形成手段と、
画像データにより指定される指定サイズの被画像形成媒体を得ることができないとき、指定サイズと異なるサイズの被画像形成媒体にこの画像データに基づく画像を形成する第２の画像形成手段と、
画像データにより指定される指定サイズの被画像形成媒体を得ることができないとき、この画像データに基づく画像形成処理を中断する中断手段と、
画像データにより指定される指定サイズの被画像形成媒体を得ることができないとき、機能に応じて前記第２の画像形成手段による処理、又は前記中断手段による処理を指示する制御手段と、
を備えたことを特徴とする画像形成装置が提供される。
【００３０】
さらにまた、この発明によれば、
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する記憶手段と、
画像データにより指定される指定サイズの被画像形成媒体に、この画像データに基づく画像を形成する第１の画像形成手段と、
画像データにより指定される指定サイズの被画像形成媒体を得ることができず、この指定サイズの被画像形成媒体より大きいサイズの被画像形成媒体を得ることができる場合には、この指定サイズの被画像形成媒体より大きいサイズの被画像形成媒体にこの画像データに基づく画像を形成する第２の画像形成手段と、
画像データにより指定される指定サイズの被画像形成媒体、及びこの指定サイズの被画像形成媒体より大きいサイズの被画像形成媒体を得ることができず、この指定サイズの被画像形成媒体より小さいサイズの被画像形成媒体を得ることができる場合には、この指定サイズの被画像形成媒体より小さいサイズの被画像形成媒体にこの画像データに基づく画像を縮小して形成する第３の画像形成手段と、
前記第３の画像形成手段による画像形成を許可する縮小変倍率の下限を指示する指示手段と、
前記第３の画像形成手段による画像形成処理において、前記指示手段により指示された縮小変倍率より下回る縮小変倍率処理を実行する必要があるときは、この第３の画像形成手段による画像形成処理を中断する第１の中断手段と、
画像データにより指定されるサイズの被画像形成媒体を得ることができないとき、この画像データに基づく画像形成処理を中断する第２の中断手段と、
複写機能及びプリンタ機能実行時において画像データにより指定される指定サイズの被画像形成媒体を得ることができないときには前記第２の中断手段による処理を指示し、ファクシミリ機能実行時にいて指定サイズの被画像形成媒体を得ることができないときには前記第２の画像形成手段、又は前記第１の中断手段による処理を含む前記第３の画像形成手段による処理を指示する制御手段と、
を備えたことを特徴とする画像形成装置が提供される。
【発明の効果】
【００３１】
この発明によれば、複数機能を備えた故に生じる問題を解決し、各機能を最大限に利用することができる画像形成装置が提供できる。
【発明を実施するための最良の形態】
【００３２】
以下、この発明の第１〜第８の実施形態について図面を参照して説明する。
【００３３】
まず、最初に第１〜第８の実施形態の共通事項に関して説明する。図１は、この発明の一実施の形態に係る画像形成装置（マルチファンクション型複写装置）の外観の一例を示す斜視図である。
【００３４】
装置本体２００の上部には、原稿カバーを兼ねシート状の原稿を自動的に一枚ずつ送る自動原稿送り装置（以下、ＡＤＦと称する）２０７が開閉自在に設けられている。装置本体２００の上面前部には、コピー条件並びにコピー開始を指示するための各種操作キー及び各種表示器等を備えた操作パネル２０２が設けられている。この操作パネル２０２については、後に詳しく説明する。
【００３５】
装置本体２００の右側部には、小容量の用紙が収納できる給紙カセット２５７と、大容量の用紙が収納できる大容量給紙カセット２５５とがそれぞれ着脱自在に設けられている。尚、給紙カセット２５７は、用紙を手差しで供給するための手差しトレイ２５６を備えている。
【００３６】
装置本体２００の下部には、給紙カセット２５２、２５３、２５４が着脱自在に設けられている。これら給紙カセット各々には、同一サイズの用紙が横方向及び縦方向に収納されており、必要に応じて選択されるようになっている。装置本体２００の左側部には、コピー済みの用紙を受ける排紙トレイ３６２が設けられている。
【００３７】
装置本体２００全面の操作パネル２０２下部には、画像デ一夕等を記憶する記憶媒体としての光磁気ディスクを挿入するための挿入口２０４が設けられていて、本体内部には光磁気ディスク装置（図示しない）が設けられている。
【００３８】
装置本体２００背面には、パラレルポート（図示しない）、シリアルポート（図示しない）、ＳＣＳＩ（図３）等が設けられている。パラレルポートは、本装置がプリンタとして動作する際に、本装置とＰＣ（パーソナルコンピュータ）などの外部装置とを接続する。シリアルポートは、本装置のメンテナンス時において本装置の内部管理情報の読み出し及び本装置の機能設定のために、本装置とＰＣなどの外部装置とを接続する。ＳＣＳＩは、本装置とマスタとして動作する外部のコントローラとの間でコマンド／データ通信を行う。
【００３９】
図２は、図１の複合型画像形成装置の内部構成の一例を構造的に示す概略図である。
【００４０】
装置本体２００内には、複写機能及びファクシミリ機能を実現するにあたり画像データを獲得する獲得手段としてのスキャナ部５０と、画像形成手段としてのプリンタ部５２が設けられている。
【００４１】
装置本体２００の上面には、読取対象物、つまり原稿Ｄが載置される透明なガラスからなる原稿載置台２１２と、この原稿載置台２１２上に原稿を自動的に送るＡＤＦ２０７とが配設されている。このＡＤＦ２０７は、原稿載置台２１２に対して開閉可能に配設され、原稿載置台に載置された原稿Ｄを原稿載置台２１２に密着させる原稿押さえとしても機能する。
【００４２】
ＡＤＦ２０７は、原稿Ｄがセットされる原稿トレイ２０８と、原稿の有無を検出するエンプティセンサ２０９と、原稿トレイから原稿を一枚ずつ取り出すピックアップローラ２１４と、取り出された原稿を搬送する給紙ローラ２１５と、原稿の先端を整位するアライニングローラ対２１６と、アライニングローラ対２１６の上流側に設けられ原稿の到達を検出するアライニングセンサ２８６と、原稿Ｄのサイズを検出するサイズセンサ２８７と、原稿載置台２１２のほぼ全体を覆うように配設された搬送ベルト２１８とを備えている。そして、原稿トレイ２０８に上向きにセットされた複数枚の原稿は、その最下の頁、つまり、最終頁から順に取り出され、アライニングローラ対２１６により整位された後、搬送ベルト２１８によって原稿載置台２１２の所定位置へ搬送される。
【００４３】
ＡＤＦ２０７において、搬送ベルト２１８を挟んでアライニングローラ対２１６と反対側の端部には、反転ローラ２２０と、非反転センサ２２１と、フラッパ２２２と、排紙ローラ２２３とが配設されている。後述するスキャナ部５０により画像情報の読み取られた原稿Ｄは、搬送ベルト２１８により原稿載置台２１２上から送り出され、反転ローラ２２０、フラッパ２２１、及び排紙ローラ２２２を介してＡＤＦ２０７上面の原稿排紙部２２４上に排出される。
【００４４】
また、原稿Ｄの裏面を読み取る場合、フラッパ２２２を切換えることにより、搬送ベルト２１８によって搬送されてきた原稿Ｄは、反転ローラ２２０によって反転された後、再度搬送ベルト２１８により原稿載置台２１２上の所定位置に送られる。
【００４５】
なお、ＡＤＦ２０７は、ピックアップローラ２１４、給紙ローラ２１５、及びアライニングローラ対２１６を駆動する給紙モータと、搬送ベルト２１８、反転ローラ２２０、及び排紙ローラ２２３を駆動する搬送モータとを備えている。
【００４６】
装置本体２００内に配設されたスキャナ部５０は、原稿載置台２１２に載置された原稿Ｄを照明する蛍光灯などの光源２２５、及び原稿Ｄからの反射光を所定の方向に偏向する第１のミラー２２６を有している。これらの光源２２５及び第１のミラー２２６は、原稿載置台２１２の下方に配設された第１のキャリッジ２２７に取り付けられている。この第１のキャリッジ２１６上には、原稿載置台２１２上に載置された原稿のサイズを検出するサイズセンサ２１７が取り付けられている。第１のキャリッジ２２７は、原稿載置台２１２と平行に移動可能に配置され、図示しない歯付きベルト等を介して駆動モータにより、原稿載置台の下方を往復移動される。
【００４７】
また、原稿載置台２１２の下方には、原稿載置台と平行に移動可能な第２のキャリッジ２２８が配設されている。第２のキャリッジ２２８には、第１のミラー２２６により偏向された原稿Ｄからの反射光を順に偏向する第２及び第３のミラー２３０、２３１が互いに直角に取り付けられている。第２のキャリッジ２２８は、第１のキャリッジ２２７を駆動する歯付きベルトなどにより、第１のキャリッジ２２７に対して従動されるとともに、第１のキャリッジに対して１／２の速度で原稿載置台２１２に沿って平行に移動される。
【００４８】
また、原稿載置台２１２の下方には、第２のキャリッジ２２８上の第３のミラー２３１からの反射光を集束する結像レンズ２３２と、結像レンズにより集束された反射光を受光して光電変換するＣＣＤセンサ２３４とが配設されている。結像レンズ２３２は、第３のミラー２３１により偏向された光の光軸を含む面内に、駆動機構を介して移動可能に配設され、自身が移動することで反射光を所望の倍率で結像する。そして、ＣＣＤセンサ２３４は、入射した反射光を光電変換し、読み取った原稿Ｄに対応する電気信号を出力する。
【００４９】
一方、プリンタ部５２は、露光手段として作用するレーザ露光装置２４０を備えている。レーザ露光装置２４０は、光源としての半導体レーザ２４１と、半導体レーザ２４１から出射されたレーザ光を連続的に偏向する走査部材としてのポリゴンミラー２３６と、ポリゴンミラーを後述する所定の回転数で回転駆動する走査モータとしてのポリゴンモータ２３７と、ポリゴンミラーからのレーザ光を偏向して後述する感光体ドラムへ導く光学系２４２とを備えている。このような構成のレーザ露光装置２４０は、装置本体２００の後述する支持フレームに固定及び支持されている。
【００５０】
半導体レーザ２４１は、スキャナ部５０により読み取られた原稿Ｄの画像情報に応じてオン・オフ制御され、このレーザ光はポリゴンミラー２３６及び光学系２４２を介して感光体ドラムへ向けられ、感光体ドラム周面を走査することによりドラム周面上に静電潜像を形成する。
【００５１】
また、画像形成部５２は、装置本体２００のほぼ中央に配設された像担持体としての回転自在な感光体ドラム２４４を有し、感光体ドラム２４４の周面には、レーザ露光装置２４０からのレーザ光により露光され所望の静電潜像が形成される。
【００５２】
感光体ドラム２４４の周囲には、ドラム周面を所定の電荷に帯電させる帯電チャージャ２４５と、感光体ドラム２４４の周面上に形成された静電潜像に現像剤としてのトナーを供給して所望の画像濃度で現像する現像器２４６と、給紙カセット２５２、２５３、２５４、２５５、及び２５７などから給紙された被転写材、つまり、コピー用紙Ｐを感光体ドラム２４４から分離させるための剥離チャージャ２４７と、感光体ドラム２４４に形成されたトナー像を用紙Ｐに転写させる転写チャージャ２４８と、感光体ドラム２４４の周面からコピー用紙を剥離する剥離爪２４９と、感光体ドラム２４４の周面に残留したトナーを清掃する清掃装置２５０と、感光体ドラム２４４の周面を除電する除電器２５１とが順に配置されている。
【００５３】
装置本体２００内の下部には、それぞれ装置本体２００から引出し可能な給紙カセット２５２、２５３、２５４が互いに積層状態に配設され、各カセット内にはサイズの異なるコピー用紙が装填されている。これらのカセットの側方には大容量給紙カセット２５５が設けられ、この大容量給紙カセット２５５には、使用頻度の高いサイズのコピー用紙、例えば、Ａ４サイズのコピー用紙が約３０００枚収納されている。また、大容量給紙カセット２５５の上方には、手差しトレイ２５６を兼ねた給紙カセット２５７が脱着自在に装着されている。
【００５４】
装置本体２００内には、各カセットから感光体ドラム２４４と転写チャージャ２４８との間に位置した転写部を通って延びる搬送路２５８が形成され、搬送路の終端には定着装置２６０が設けられている。定着装置２６０に対向した装置本体２００の側壁には排出口２６１が形成され、排出口２６１にはフィニッシャ３００が装着されている。フィニッシャ３００は後に詳しく説明する。
【００５５】
給紙カセット２５２、２５３、２５４、２５５、及び２５７の近傍には、カセットから用紙を一枚ずつ取り出すピックアップローラ２６３がそれぞれ設けられている。また、搬送路２５８には、ピックアップローラ２６３により取り出されたコピー用紙Ｐを搬送路２５８を通して搬送する多数の給紙ローラ対２６４が設けられている。
【００５６】
搬送路２５８において感光体ドラム２４４の上流側にはレジストローラ対２６５が設けられている。レジストローラ対２６５は、取り出されたコピー用紙Ｐの傾きを補正するとともに、感光体ドラム２４４上のトナー像の先端とコピー用紙Ｐの先端とを整合させ、感光体ドラム周面の移動速度と同じ速度でコピー用紙Ｐを転写部へ給紙する。レジストローラ対２６５の手前、つまり、給紙ローラ２６４側には、コピー用紙Ｐの到達を検出するアライニングセンサ２６６が設けられている。
【００５７】
ピックアップローラ２６３により各カセットから１枚ずつ取り出されたコピー用紙Ｐは、給紙ローラ対２６４によりレジストローラ対２６５へ送られる。そして、コピー用紙Ｐは、レジストローラ対２６５により先端が整位された後、転写部に送られる。
【００５８】
転写部において、感光体ドラム２４４上に形成された現像剤像、つまり、トナー像が、転写チャージャ２４８により用紙Ｐ上に転写される。トナー像の転写されたコピー用紙Ｐは、剥離チャージャ２４７及び剥離爪２４９の作用により感光体ドラム２４４周面から剥離され、搬送路２５２の一部を構成する搬送ベルト２６７を介して定着装置２６０に搬送される。そして、定着装置２６０によって現像剤像がコピー用紙Ｐに溶融定着さた後、コピー用紙Ｐは、給紙ローラ対２６８及び排紙ローラ対２６９により排出口２６１を通してフィニッシャ３００の排紙トレイ３６２へ排出される。
【００５９】
搬送路２５８の下方には、定着装置２６０を通過したコピー用紙Ｐを反転して再びレジストローラ対２６５へ送る自動両面装置（ＡＤＤ）２７０が設けられている。自動両面装置２７０は、コピー用紙Ｐを一時的に集積する一時集積部２７１と、搬送路２５８から分岐し、定着装置２６０を通過したコピー用紙Ｐを反転して一時集積部２７１に導く反転路２７２と、一時集積部に集積されたコピー用紙Ｐを一枚ずつ取り出すピックアップローラ２７３と、取り出された用紙を搬送路２７４を通してレジストローラ対２６５へ給紙する給紙ローラ２７５とを備えている。また、搬送路２５８と反転路２７２との分岐部には、コピー用紙Ｐを排出口２６１或いは反転路２７２に選択的に振り分ける振り分けゲート２７６が設けられている。
【００６０】
両面コピーを行なう場合、定着装置２６０を通過したコピ用紙Ｐは、振り分けゲート２７６により反転路２７２に導かれ、反転された状態で一時集積部２７１に一時的に集積された後、ピックアップローラ２７３及び給紙ローラ対２７５により、搬送路２７４を通してレジストローラ対２６５へ送られる。そして、コピー用紙Ｐはレジストローラ対２６５により整位された後、再び転写部に送られ、コピー用紙Ｐの裏面にトナー像が転写される。その後、コピー用紙Ｐは、搬送路２５８、定着装置２６０及び排紙ローラ２６９を介してフィニッシャ３００の排紙トレイ３６２に排紙される。
【００６１】
また、この自動両面装置２７０を使用することにより、用紙のプリントされた面を下側にして排出することもできる。つまり、両面コピーを行う要領でまず用紙表面に画像を転写、定着させ、一時集約部２７１に一時的に集積させ、ピックアップローラ２７３及び給紙ローラ対２７５により搬送路２７４を通してレジストローラ対２６５により整位された後、搬送２５８、定着装置２６０および排紙ローラ２６９を介して排紙トレイ３６２に排紙される。
【００６２】
図３は、複合型画像形成装置の内部構成の一例を機能的に示すブロック図である。
【００６３】
本装置は、メインＣＰＵ３０、ＲＯＭ３２（プログラム用、データベース用）、ＮＶＲＡＭ３４、ＤＲＡＭ（作業用、データ格納用）３６を有する。このメインＣＰＵ３０は、本装置全体の制御を行うものであり、ここでは操作パネル２０２からの指示、通信回線からの信号入力（ＦＡＸ）、及び各種外部インタフェース（外部ＩＦ）からの入力信号に従って各機能の制御を行う。
【００６４】
さらに、本装置には、画像データを記憶する記憶手段としてのハードディスクドライブ（ＨＤＤ）３７、及び同じく記憶手段としての光ディスクドライブ（ＯＤＤ）３８が設けられており、これにより、大容量の画像データの記憶を実現することが可能となる。
【００６５】
ＳＩＦ４０はスキャナ部５０からの画像データを受け取るスキャナインタフェース、ＩＰＵ（画像処理回路）４２は記録装置に応じた高画質化処理や拡大縮小処理、画素間引き処理、マーカ検出による指定領域の白抜き処理などの画像編集処理を行う画像処理部、記憶手段としてのページメモリ（ＰＭ）４４は１画素につき多値のビット数を持つ多値のページメモリ、ＱＮＴ／ＰＭ（ＱＮＴ：量子化、ＰＭ：ぺ−ジメモリ）４６は多値データを記憶用に２値化して記憶する２値化ページメモリ（ページバッファ）と圧縮伸張回路と各種画像処理ＡＳＩＣとで構成される部分、ＰＩＦ４８はプリンタ部５２に画像データを転送するプリンタインタフェース、ＬＡＮＣ５４はイーサネット（登録商標）との接続インタフェースとＮ社ネットワークプロトコルを制御するためのＣＰＵを含むネットワーク制御回路である。
【００６６】
なお、このＬＡＮＣ５４のケーブルの一端はルータ／リピータ等のネットワークを構成する機器（図示しない）に接続される。プリンタ機能を実現するにあたり画像データを獲得する獲得手段としてのＳＣＳＩ５６はＰＣ等の外部装置（図示しない）との通信コマンド制御を行うためのＳＣＳＩバス制御用チップセットを示している。例えばメインＣＰＵ３０から制御コマンドを受け取ると、それを解釈してターゲットとなるデバイスにコマンドを送る。逆に信号を受け取った場合は、その信号をそのままメインＣＰＵ３０に対して渡される。メインＣＰＵ３０はその信号を解釈し、適宜、応答を返し、装置全体を制御する。
【００６７】
図４に示すように、ファクシミリ機能を実現するにあたりファクシミリにより送信される画像データを獲得する獲得手段としてのＦＡＸＣ部５８は、ファクシミリ手順に従って公衆回線との接続ＩＦをなすいわゆるＭＯＤＥＭ７６、送受信用バッファ７４、ＦＡＸ画像データ格納用の記憶手段としてのファイルメモリ６８、画像の符号化／復号化及び解像度変換等を行うＣＯＤＥＣ（CODER-DECODER）６６、ＣＯＤＥＣ７２、及びこれらの制御とメインＣＰＵ３０との相互通信を行うＦＡＸＣＰＵ７８からなる。
【００６８】
ＰＲＮＣ６０は外部のＰＣ等のデバイスからのプリントデータを受け取るためのプ口トコル制御及びデータ転送／圧縮／伸張制御を行うための制御回路である。これらの各デバイスは画像バス６２を介して接続され、メインＣＰＵ３０と各デバイス間の制御信号はシステムバス６４により高速に信号のやりとりが行われる。この画像バス６２は、このコントローラが複写機として動作するときの為に設けられた独特のもので、複写機のリアルタイム動作を保証するために、スキャナ部５０から入力される画像データをＳＩＦ４０で受信し、ＩＰＵ４２で高画質化処理、拡大縮小処理、並びに各種編集処理を行い、ＰＩＦ４８でプリンタ部５２の出力にするという動作を並列的に行う。画像バス６２に接続されたボードの内、その時の動作に不必要な処理ボードは通過状態となる。例えば、単なる複写動作の際にはＱＮＴ／ＰＭ４６は不必要なため通過となるし、メモリを利用して複数の複写画像を編集する場合には、この２値化ページメモリは必要となる。
【００６９】
図４は、ＦＡＸＣ部５８の構成を例示する図である。
【００７０】
図４において、点線部分は図３中のシステムバス６４を、二重線部分は画像バス６２を示している。例えば、この実施の形態において説明される構成の複合型画像形成装置において、ある動作条件では、ＦＡＸ用の送信データは、スキャナ部５０から入力された後、画像バス６２からＦＡＸＣ部５８の入出力バッファに蓄積される。蓄積されたデータは、ＣＯＤＥＣ６６で符号化／圧縮され、ファイルメモリ（FILEMEMORY）６８に蓄積される。
【００７１】
ＮＣＵ（NETWORK CONTROL UNIT）７０により回線を選択した後、ＦＡＸ用の送信データは、ＣＯＤＥＣ７２で相手局の能力に合わせた符号化方式／解像度に変換され、送受信バッファ７４を経由してＭＯＤＥＭ７６から送信される。この際、ＦＡＸ用の送信へッダもＣＯＤＥＣ６６で付加される。
【００７２】
ＦＡＸ通信制御用のコマンドは、システムのメインＣＰＵ３０からＤＭＡ転送によりＦＡＸＣ部５８に送られる。ＦＡＸＣ部５８のＦＡＸＣＰＵ７８は、そのコマンド内容を実行し、ステータス、或いはリクエストを逆にメインＣＰＵ３０側にＤＭＡ転送で送信する。このコマンドによりＦＡＸＣＰＵ７８はＭＯＤＥＭ７６を介して回線上に標準プロトコルに基づいた制御信号（ＩＴＵ−Ｔ／Ｔ．３０準拠）を送出する。また、メインＣＰＵ３０はステータス或いはリクエストの内容に応じて次の指示を送出する。
【００７３】
また、図３に示すＨＤＤ３７に蓄積された画像データを送信画像としてＦＡＸＣ部５８に転送する際には、ＦＡＸＣ部５８の転送バッファを経由し相互にＤＭＡ転送される。
【００７４】
受信の場合は、受信データは一旦ＦＡＸＣ部５８の送受信バッファ７４に蓄積され、エラーチェック等を実施した後、ＣＯＤＥＣ６６で指定の符号化方式等に変換し、ＦＡＸＣ部５８のファイルメモリ６８に蓄積される。また、蓄積された画像データを、図３に示されるＨＤＤ３７に蓄積する場合は、ＣＯＤＥＣ７２で符号化変換、解像度変換処理等を行った後、図３に示されるＨＤＤ３７に対してＤＭＡ転送される。
【００７５】
ＦＡＸＣ部５８のファイルメモリ６８に蓄積保存されている受信画像の印刷時は、蓄積された受信データをＣＯＤＥＣ６６で伸張し、入出力バッファ８０に展開した後、画像バス６２側からＰＩＦ４８に印字出力する。図３のＨＤＤ３７に蓄積保存されいる画像データを印刷する場合は、図３のＱＮＴ／ＰＭ４６に画像を展開し、画像バス６２側からＰＩＦ４８に印字出力する。
【００７６】
また、ＦＡＸＣ部５８の画像入出力バッファ８０は画像データの回転処理が可能である。例えば、Ａ４画像を受信した場合など、ここで９０度回転処理を施すことにより、Ａ４横及びＡ４縦カセットの記録紙の両方が利用可能となると同時に、ポートレート方向でもランドスケープ方向でも原稿入力が可能となる。
【００７７】
更に、１８０度回転処理を用いて、例えば、ＡＤＦ２０７を利用して入力した画像データの方向を全て順方向に修正する。また、自動両面装置２７０により、受信原稿に１８０度回転処理を交互に施した後、記録紙の両面に印刷処理を行う。
【００７８】
図５は、操作パネル２０２の構成を例示する図である。
【００７９】
図５に示すように、操作パネル２０２にはタッチパネルディスプレイ８２、スタートキー９０、ポーズキー９１、クリアキー９２、テンキー９３、原稿サイズを選択するサイズキー９４、カセットを選択するカセットキー９５、選択された原稿サイズ・カセットを表示するＬＥＤ８４及び８５、複写倍率設定キー９６、画像モード選択キー９７などが設けられている。また、このテンキー９３は複写でもＦＡＸ（ＦＡＸ番号入力）でも共有可能であるよう、ボタン電話装置のテンキー配列と同じ配置となっている。因みに、上記説明した９０〜９７のキーを総称してハードキーとする。
【００８０】
例えば５部複写する場合、タッチパネルディスプレイ８２上のメニューを複写に切り替え、希望する処理（両面コピーなど）を選択した後、テンキー９３の「５」のキーを押す。するとタッチパネルディスプレイ８２上の特定のエリアにこの数が表示される。これをユーザが確認した後、原稿をセットしスタートキー９０を押せば複写動作が開始される。
【００８１】
図６は、図５に示すタッチパネルディスプレイ８２の構成を示すブロック図である。
【００８２】
タッチパネルディスプレイ８２はタッチパネル１０２を液晶ディスプレイ１０４の上に重ねて構成される。タッチパネル１０２は透明基盤に透明抵抗体を一様に塗布し、Ｘ／Ｙ方向に夫々所定の距離間隔をおいて透明電極群を平行に配設してある。タッチパネル制御部１０６の制御の元、Ｘ／Ｙ方向の各透明電極にはそれぞれ一定方向に順次電圧が印加される。タッチパネル１０２に対する位置の指示操作は専用の導電性ペン或いは指を用いて行われる。タッチパネル制御部１０６はＸ／Ｙ方向のそれぞれの電極間の抵抗値を監視し、各電極間の抵抗値から演算により、導電性ペン或いは指の指示によって局所的に抵抗値が低減した位置の検出を行う。
【００８３】
また、液晶ディスプレイ１０４にはこれを表示駆動するためのディスプレイ制御部１０８と、表示データを表示画素単位で格納する表示ＲＡＭ（ＶＲＡＭ）１１０がそれぞれ接続されている。
【００８４】
以上の構成からなるタッチパネルディスプレイ８２において、タッチパネル制御部１０６によって求められた位置データは、主制御部内のメインＣＰＵ３０により読み取られ、この位置データに対応した処理がメインＣＰＵ３０によって実行される。例えば、手書き入力を行う場合はタッチパネル１０２上で指示された位置に対応するＶＲＡＭ１１０上のデータを非表示状態から反転して表示状態にし、液晶ディスプレイ１０４に表示したキーボードディスプレイや各種設定ボタン群の中からの選択による動作パラメータの入力など、幅広い用途にこのタッチパネルディスプレイ８２は使用できる。
【００８５】
図７〜図９は、この複合型画像形成装置で用いる標準的なＧ３ファクシミリ通信プ口トコルの流れを示す図である。ここでは全て非エラー訂正モードの例を示しているが、通信プロトコルの流れとしては基本的にエラー訂正モードの場合も同様である。
【００８６】
図７は、送信データを１頁だけ送信する場合（後続頁無し）の通信プロトコルの流れを例示する図である。図７に示すように、ＦＡＸの通信プロトコルはＡ〜Ｅの５つのフェーズに分割されており、それぞれＡ：呼設定、Ｂ：初期認識、Ｃ：データの送信、Ｄ：送信データ確認、Ｅ：切断に分かれている。
【００８７】
図８は、送信条件を変更せずに複数頁の送信データ（後続頁有り）を送信する場合の通信プロトコルの流れを例示する図である。この図８の場合には、フェーズＤにおいてマルチペ−ジであることが被呼端末側に知らされ（ＭＰＳ）、続いてフェーズＣ以降が繰り返される。
【００８８】
図９は、送信条件を変更して複数頁の送信データ（後続頁有り）を送信する場合の通信プロトコルの流れを例示する図である。この図９の場合には、フェーズＤにおいて通信条件の変更が被呼端末側に知らされ（ＥＯＭ）、続いてフェーズＢ以降が繰り返される。
【００８９】
このそれぞれの通信手順のフェーズＢ（初期認識）において、最初に被呼端末（受信端末）からＮＳＦ（Not Standerd facsimile）信号が送信される。この信号では、ＩＴＵ−Ｔ／Ｔ．３５において国コード、メーカーコードを提示することが規定されている。通常、同じメーカのファクシミリ装置同士の通信においては、この信号でそれぞれの機種を同定し、ＩＴＵ−Ｔ／Ｔ．３０の規定とは異なる各社独自の手順で通信を行う。
【００９０】
次に、この複合型画像形成装置でのネットワーク送信の動作を説明する。
【００９１】
この場合、まず操作パネル２０２上でネットワーク送信のモードを設定する。次に送信先情報（ネットワークアドレス、ユーザＩＤなど）を設定する。そして、送信画像データをセットする。設定された送信先情報は主制御部の管理下に送信待ち行列にセットされる。また、送信条件に基づいて送信データは編集処理を行った後、符号化／圧縮処理を行い、ネットワークに対応したプロトコルに従って送信先への回線接続を行う。全ページ送信終了すれば回線切断処理を行う。
【００９２】
以上の動作の間、主制御部は操作パネル２０２からの送信先情報を管理しＳＩＦ４０、ＱＮＴ／ＰＭ４６に画像サイズ、圧縮方式などの各パラメータの設定を行う。そして開始指示が有れば、スキャナ部５０を駆動し、入力された画像データに対して解像度変換、２値化、圧縮処理を施した後これらをＱＮＴ／ＰＭ４６又はＨＤＤ３７へ保持するといった動作を最終ページまで行う。
【００９３】
次に、この複合型画像形成装置における入力原稿のファクシミリ送信動作を説明する。
【００９４】
まず、先述の操作パネル２０２上でタッチパネルディスプレイ８２上のメニューをＦＡＸメニューに切り替えた上で、ファクシミリ送信のモードを設定する。或いは、ネットワークまたは２３２Ｃなどのシリアルインタフェースを介し、ＰＣ等の端末装置上から送信モードを設定する。操作パネル２０２上からこのモード設定を行う場合には、タッチパネルディスプレイ８２に表示されたモード選択スイッチの指示及び希望する条件に該当するハードキーを押下することによって設定が行われる。
【００９５】
ＰＣ等の端末装置上からモード設定を行う場合には、画面上のメニューからファクシミリ送信のモードを選択する。この際、ファクシミリ送信モード設定画面において送信先情報（電話番号、短縮ダイヤル番号ｅｔｃ．）、送信サイズ情報、拡大／縮小などの変倍情報、希望する解像度、回転の有無、セキュリティの高い内容を含んだ文書（親展）であるか否か等の送信条件を設定する。
【００９６】
送信データは、スキャナ部５０で入力後、ＩＰＵ４２において操作パネル２０２で指定された拡大／縮小、中間調処理等の画像処理を行った後、図４のＦＡＸＣ部５８の入出力バッファ８０を使用して２値データとして展開される。続いて図４に示されるＣＯＤＥＣ６６を用いて符号化／圧縮処理を行い、また、必要であれば、入力画像の回転処理／解像度変換処理を行い、ＦＡＸＣ部５８のファイルメモリ６８に蓄積／保存される。
【００９７】
ＨＤＤ３７が装着されている場合は、図３のＱＮＴ／ＰＭ４６に展開し、ユーザが指定する画像処理を施した後、ＱＮＴ／ＰＭ４６を使用して符号化処理を行いＨＤＤ３７にメモリ蓄積を行う。この際のユーザが指定する画像処理とは、例えば、複数の原稿を１枚に縮小して収め、１枚の原稿として送信するといったような、いわゆる「Ｎin１（Ｎ：整数）」処理（縮小連結処理とも言う）が該当する。
【００９８】
メモリ蓄積送信を行う場合には、原稿入力終了後、送信待ち行列にセットされる。送信時刻を指定されている場合は、ユーザの指定する時刻になるまで送信されないが、特に指定されておらず、また送信待ちの状態ファイルが存在しない場合は、即、送信手順を開始する。
【００９９】
送信処理を開始する場合、ＦＡＸＣ部５８のファイルメモリ６８に蓄積されている画像データは、ＣＯＤＥＣ７２を使用し、受信端末側の受信性能に応じて、解像度変換処理、サイズ変換処理を行った後、相手局に送信する。また、ＨＤＤ３７を利用して、送信実行時にＨＤＤ３７に蓄積した画像ファイルをＦＡＸＣ部にＤＭＡ転送し、送信手順を開始する。
【０１００】
ダイレクト送信を行う場合には、送信先情報に基づいてＮＣＵ７０が回線接続制御を行う。回線接続が成立した段階でスキャナ部５０より画像データを入力し、画像処理部で相手局の能力に合わせた解像度に変換する。この際、ユーザが希望する解像度、画像サイズよりも、相手局能力の方が優先される。続いて、図４に示されるＦＡＸＣ部５８の入出力バッファ８０に転送され、送受信バッファ７４を経由した後、送信処理が行われる。全ページの送信データを送信終了後、回線切断処理を行う。
【０１０１】
次に、この複合型画像形成装置におけるＱＮＴ／ＰＭ４６を使用した複写画像のメモリ編集機能について説明する。
【０１０２】
スキャナ部５０より入力された画像は画像処理部においてユーザが選択した機能に応じた解像度変換、２値化処理を行った後、ＱＮＴ／ＰＭ４６に蓄積される。ユーザが選択した機能に応じた解像度変換とは、例えば２枚の原稿を縮小して１枚に納める２in１機能を選択した場合の７１％縮小などが該当する。２in１処理の場合、ＱＮＴ／ＰＭ４６には画像処理部で約７１％縮小が展開された画像が読み込まれる。更に９０度回転処理を実施した後、２枚分を１枚として印字出力する。
【０１０３】
図１０は、複合型画像形成装置の全体構成を概略的に示す図である。
【０１０４】
この図１０において、入出力制御部１１２とは画像入力時のスキャナ駆動制御、ＡＤＦ制御、印刷時のプリンタ制御、紙搬送制御などを行うエンジン制御と、画像の解像度、サイズを変更し、また高画質化処理を行う画像処理ユニット、および入力あるいは出力する画像の回転処理、画像合成などの修飾処理などを行う入力／出力画像処理ユニット、および入力画像を展開／符号化圧縮するための画像メモリより構成される。
【０１０５】
ここで、画像処理ユニットでは、例えば複写時には、ユーザの指定によるサイズ変換処理や、誤差拡散処理などの高画質化処理を行うし、ＦＡＸの画像入力時には、ユーザの指定する解像度への変換処理、受信機の性能に合わせたサイズ変換処理、高画質化処理などを行う。この際、画像メモリに入力された画像データは、ユーザの設定内容に応じて、回転処理や画像合成などの修飾処理を行う。
【０１０６】
また、ＦＡＸ印刷時には、ＦＡＸ受信データに対して、プリンタの解像度に合わせた解像度拡張処理（補間処理）や、スムージングなどの高画質化処理や、更に、ユーザの設定に応じて、画像の回転処理や、縮小処理、あるいは長尺原稿を受信した場合のページ分割処理などを行う。これらのスキャナ／プリンタはメカ制御用のＣＰＵにより直接的に制御されており、図３中のメインＣＰＵ３０はこれらにメッセージを送ることで制御を行っている。
【０１０７】
複写制御部１１４は、入出力制御部１１２の駆動タイミング制御や画像処理用のパラメータ設定を行い複写機能を制御する。タイミング制御とは、例えばＡＤＦの駆動タイミング、スキャナ駆動タイミング、メモリに展開した画像の修飾処理や、印刷開始タイミングの指定、次の原稿の入力開始タイミング指定などを意味する。
【０１０８】
操作パネル制御部１１６は、図５、図６で説明したこの複合型画像形成装置の操作パネル１０、およびシリアルポート、ＳＣＳＩコントローラ等から構成される。例えば操作パネル１０よりＦＡＸ送信が指示されると、その情報は全体制御部１１８に伝えられる。また、通信回線を使用してＦＡＸ通信を開始した場合など、逆にそれらの情報が全体制御部１１８を介して通知され、操作パネル１０上のＬＥＤの点灯やＬＣＤへのメッセージ表示を行う。
【０１０９】
また、シリアルポートやＳＣＳＩコントローラを介して外部のＰＣよりデータおよびＦＡＸ送信条件などの制御情報を受け取った場合は、制御パネルからユーザ設定によりＦＡＸ送信が選択されたのと同様に、それらの条件が全体制御部１１８に伝えられる。全体制御部１１８は、スキャナ部５０やプリンタ部５２の空き状況を確認した上で、設定内容をＦＡＸ通信制御部１２０に伝える。
【０１１０】
全体制御部１１８では、更に装置全体のメモリ残量や動作状態を常に監視し、スキャナ部５０、プリンタ部５２などの複数機能で共有するリソースの排他制御、優先度操作等を実施する。また、タイマー監視等の時間制御も行い、状態に応じて、適宜、操作パネル制御部１１６に対してメニューの切り替えや、ＦＡＸの時刻指定送信機能のようなジョブの起動制御を行う。
【０１１１】
ＦＡＸ通信制御部１２０は図４に説明したＦＡＸＣ部５８およびＦＡＸ制御ソフトウェアより構成される。上記ＦＡＸ制御ソフトウェアは、例えばＦＡＸＣ部５８のＦＡＸＣＰＵ７８に対してコマンドを送り、ＦＡＸ通信機能を実現するだけでなく、リスト／レポート作成、停電発生時のリカバリ処理などの処理を行う。
【０１１２】
プリント制御部１２２は図３中のＰＲＮＣ６０およびＰＣから接続され画像データを印字するためのデータ制御ソフトウェアより構成される。
【０１１３】
図１１は、図３に示されるＰＲＮＣ６０のハードウェア構成の概略図である。ＰＲＮＣ６０は、システムバス６４へのインタフェース及びそれらの通信プロトコル制御を行うコマンド制御ＣＰＵ６０ａ、バッファメモリ６０ｂ、高速でのデータ制御を行うデータ制御ＡＳＩＣ６０ｃ、自身とＰＣ等の外部装置とを接続するパラレルポート（セントロニクス）６０ｄなどで構成される。
【０１１４】
例えば、ＰＣ上のアプリケーションソフトウェアで作成されたドキュメントは、ＰＣ上でイメージデータに展開された後、符号化／圧縮され、ＰＣ上のメモリに保存される。この符号化データは、ＰＲＮＣ６０との間で予め決められたプロトコルに従い、高速にデータ転送される。ＰＲＮＣ６０は受け取った画像データをＱＮＴ／ＰＭ４６又はＨＤＤ３７にＤＭＡ（direct memory access）転送する。
【０１１５】
続いて、図１２の説明に移る。図１２は、入出力制御部１１２の概略構成を示す図である。
【０１１６】
入出力制御部１１２は、原稿データ入力部１１２ａ及び画像データ印刷部１１２ｂの２つの制御部に分かれている。
【０１１７】
原稿データ入力部１１２ａは、複写機能及びファクシミリ機能によりスキャナ５０で画像データを入力する際の入力処理制御を行う。つまり、原稿データ入力部１１２ａは、後述する図１３のフローチャートに示すように、必要に応じてＡＤＦ２０７を駆動し原稿をスキャナ５０（原稿載置台２１２）にセットする。さらに、スキャナ５０を駆動してこのスキャナ５０にセットされた原稿をスキャンする。さらに、スキャンされた原稿の画像データを本装置の持つスキャナ５０及びＩＰＵ４２を用いて読み込み、適切な画像処理を施した上で、ＱＮＴ／ＰＭ４６部のメモリ上もしくはＦＡＸＣ部５８中の入出力バッファ８０（ＦＡＸ入力でＨＤＤ３７が非実装のとき）に画像を展開する。さらに、後で述べる画像の編集処理を施した上で、符号／復号化回路４６を用いて符号化によるデータ圧縮を行って画像をＱＮＴ／ＰＭ４６もしくはＨＤＤ３７に蓄積保存する。
【０１１８】
画像データ印刷部１１２は、後述する図１４及び図１５のフローチャートに示すように、ＱＮＴ／ＰＭ４６もしくはＨＤＤ３７に蓄積保存されたデータを読み出して復号展開してＱＮＴ／ＰＭ４６のメモリに書き込む。そして、給紙カセット２５２、２５３、２５４、もしくは大容量給紙カセット２５５のいずれかを選択し適切なサイズのコピー用紙を給紙し、ＱＮＴ／ＰＭ４６のメモリからプリンタ５２へ画像データを転送し、コピー用紙に画像を印刷する。その後、設定に応じて、排紙トレイ３６２もしくはフィニッシャーにコピー用紙を排出する。このとき、ステープルが指示されているるときには、排出された用紙に対してステープルが打たれる。
【０１１９】
これら２つの制御部、原稿データ入力部１１２ａ及び原稿画像データ印刷部１１２ｂは、上位の全体制御部１１８から動作の開始、動作の終了、動作の中止、及び動作の中断等の指示を、ＯＳのサポートするメッセージ通信を用いて受信し、それぞれの指示に対応する処理が完了したとき及び必要に応じて随時全体制御部１１８へメッセージを送信する。また、図１６に示すようなジョブ制御に関するパラメータを保管するジョブパラメータテーブルを全体制御部１１８、入出力制御部１１２、複写制御部１１４、プリント制御部１２２、ＦＡＸ通信制御部１２０間で共有し、随時書き込み、参照を行っている。
【０１２０】
原稿データ入力部１１２ａ及び原稿画像データ印刷部１１２ｂの間ではメッセージ通信を用いずに、図１７に示す２つの制御部間で共有するパラメータの保管テーブルに随時書き込み、参照を行う。
【０１２１】
ここで、図１３のフローチャートについて説明する。図１３は、原稿データ入力部１１２ａにより実行される原稿入力処理を示すフローチャートである。
【０１２２】
原稿入力処理は、全体制御部１１８において原稿入力処理に関するメッセージが受信されることにより開始される。全体制御部１１８において、終了又は中止指示のメッセージが受信された場合には（ＳＴ５２、ＹＥＳ）、終了処理が実行される（ＳＴ５４）。また、全体制御部１１８において、中断指示のメッセージが受信された場合には（ＳＴ５２、ＹＥＳ）、中断処理が実行される（ＳＴ５６）。全体制御部１１８において、原稿入力処理の開始指示のメッセージが受信された場合には（ＳＴ５２、ＹＥＳ）、このメッセージと共に受信されたジョブメッセージが解析され（ＳＴ５８）、以下原稿入力処理が開始されることになる。
【０１２３】
原稿入力処理は、ＡＤＦ２０７を利用する場合と、利用しない場合とに分けられる。ＡＤＦ２０７を利用するか否かは、このＡＤＦ２０７上に読み取り対象となる原稿がセットされている否かにより判断される。ＡＤＦ２０７上に読み取り対象となる原稿がセットされている場合には（ＳＴ６０）、ＡＤＦ２０７が駆動される（ＳＴ６２）。
【０１２４】
複数の原稿の画像を縮小して一枚の用紙に出力する縮小連結機能が指示されている場合には（ＳＴ６４、ＹＥＳ）、読み取り位置計算とこの計算結果に応じたスキャナ駆動、及びページメモリ書き込み位置計算とこの計算結果に応じたページメモリ画像展開が行われた後（ＳＴ６６）、一枚の用紙に出力される複数の原稿の画像の読み取りが実行される。つまり、一枚の用紙に出力さえる複数の原稿の画像の読み取りが完了するまで、（ＳＴ７０、ＮＯ）→（ＳＴ８０、ＮＯ）→（ＳＴ８２、ＹＥＳ）→（ＳＴ６０、ＹＥＳ）→（ＳＴ６２）→（ＳＴ６４、ＹＥＳ）→（ＳＴ６６）の順に処理が繰り返される。一枚の用紙に出力される複数の原稿の画像の読み取りが完了すると、予めフォームとしてＨＤＤ３７に保存されたデータの合成が指示されている場合は（ＳＴ７０、ＹＥＳ）、（ＳＴ７２、ＹＥＳ）→（ＳＴ７４）の順に読み取られた画像に対応する画像データが合成される。合成が指示されていないときは（ＳＴ７２、ＮＯ）で、合成処理を施さない。このようにして得られた画像データは、符号化／圧縮され（ＳＴ７６）、ファイル情報が更新される（ＳＴ７８）。ＡＤＦ２０７に次の原稿が無い場合には中断となる（ＳＴ８４）。
【０１２５】
縮小連結機能が指示されていない場合には（ＳＴ６４）、読み取り位置計算とこの計算結果に応じたスキャナ駆動、及びページメモリ書き込み位置計算とこの計算結果に応じたページメモリ画像展開が行われた後（ＳＴ６８）、前記フォーム合成が有効ならば合成処理を施し、画像データが符号化／圧縮され（ＳＴ７６）、ファイル情報が更新される（ＳＴ７８）。
【０１２６】
続いて、図１４及び図１５のフローチャートについて説明する。図１４及び図１５は、画像データ印刷部１１２ｂにより実行される印刷処理を示すフローチャートである。
【０１２７】
印刷処理は、全体制御部１１８において印刷処理に関するメッセージが受信されることにより開始される。全体制御部１１８において、中断、中止、又は終了指示のメッセージが受信された場合には（ＳＴ１０２、ＹＥＳ）、ジョブ中断、ジョブ中止、又はジョブ終了処理が実行される（ＳＴ１０４）。全体制御部１１８において、印刷処理の開始指示のメッセージが受信された場合には（ＳＴ１０２、ＹＥＳ）、このメッセージと共に受信されたジョブメッセージが解析される（ＳＴ１０６）。この解析結果に応じて給紙元切り替え可否判断（ＳＴ１０８）、展開ページの決定（ＳＴ１１０）が行われる。展開頁が決定されると、給紙元がチェックされる（ＳＴ１１２）。
【０１２８】
排紙のみの場合には（ＳＴ１１４、ＹＥＳ）、ＡＤＤ２７０からの排紙が指示され（ＳＴ１１６）、ＡＤＤ２７０内の用紙が排出される（ＳＴ１１８）。排紙のみでない場合（ＳＴ１１４、ＮＯ）、必要に応じて縮小連結処理が行われる（ＳＴ１２０〜１３０）。縮小連結処理が不要な場合には、給紙が開始され（ＳＴ１３２）、ページメモリの書き込み位置の計算が実行され（ＳＴ１３４）、ファイル上のデータが復号／伸張され、ページメモリに展開される（ＳＴ１３６）。給紙が完了し（ＳＴ１３８、ＹＥＳ）、画像データの展開が完了すると（ＳＴ１４０、ＹＥＳ）、画像転送範囲及び回転角度が算出される（ＳＴ１４２、ＳＴ１４４）。
【０１２９】
その後、必要に応じてステープル打ち及びシフトの設定が行われる（ＳＴ１４６）。さらに、綴じ代が設定されている場合、又は設定されていない場合に応じた処理が実行される（ＳＴ１４８〜１５４）。部数分排紙が完了すると（ＳＴ１５６、ＹＥＳ）、ページメモリが開放される（ＳＴ１５８）。
【０１３０】
次に、主に入出力制御部１１２に関わるメモリ編集の概要と、その実現方法について説明する。まず前提として、複写機能、ファクシミリ機能、及びプリンタ機能による画像データの転送方向等に関して、図１８〜図２０を参照して説明する。
【０１３１】
図１８は、ポートレート原稿（縦長原稿）及びランドスケープ原稿（横長原稿）を示す図である。図１９では、この図１８に示す原稿の画像データの転送方向について説明するものとする。
【０１３２】
図１９は、複写機能、ファクシミリ機能、及びプリンタ機能毎に分けて、画像データの転送方向及び画像データの展開状態を説明する図である。ここでは説明を分かり易くするため、複写機能及びファクシミリ機能における画像入力対象の原稿は、片面に画像が形成された片面原稿とする。
【０１３３】
第１に、複写機能の場合について説明する（ＳＴ１−１〜ＳＴ１−４）。ここでは、複写対象の原稿がポートレートの場合を想定して説明するが、ランドスケープの場合でも同じである。
【０１３４】
複写機能の場合、原稿画像入力に際して、ＡＤＦ２０７を利用して原稿載置台２１２に原稿がセットされる場合と、直接原稿載置台２１２に原稿がセットされる場合とがある。ＡＤＦ２０７を利用する場合、原稿の印刷面が上側となるように（フェースアップ）、かつ原稿の左側がＡＤＦ２０７の搬送方向となるようにセットされるものとする。つまり、ＡＤＦ２０７に原稿をセットする操作者側から見て、原稿の印刷面が見える状態で、かつ操作者側の右手方向に原稿の右側が、操作者側の左手方向に原稿の左側が、操作者側の手前方向に原稿の下側がくるようにように原稿がセットされる（ＳＴ１−１）。
【０１３５】
このようにセットされた原稿は、ＡＤＦ２０７により原稿載置台２１２に搬送される。このとき、原稿は反転され、原稿載置台２１２に原稿の印刷面が接するように原稿載置台２１２にセットされる。ＡＤＦ２０７を利用せず、直接原稿載置台２１２に原稿がセットされる場合は、このような状態となるように原稿がセットされる（ＳＴ１−２）。
【０１３６】
原稿載置台２１２に原稿がセットされると、このセットされた原稿が読み取られる。このとき、原稿は印刷面の右側から読み取りが開始され、原稿の上下方向が主走査方向となり、左右方向が副走査方向となる（ＳＴ１−３）。
【０１３７】
このようにして読み取られた原稿の画像データは、１ラインずつＱＮＴ／ＰＭ４６に転送され、ページメモリ４４に展開される。このとき、画像データは、ＳＴ１−４に示すようにページメモリ４４上に展開されることになる。つまり、原稿画像の右側方向の画像データから順に左側方向の画像データが展開される。
【０１３８】
なお、ＱＮＴ／ＰＭ４６にはメモリを２次元アドレスで管理する機構が組み込まれているため、入出力制御部１１２では図２０に示すように転送された画像がｘ軸方向から書き込まれていくものとして処理が進められる。また、画像がＱＮＴ／ＰＭ４６からプリンタ５２又はＨＤＤ３７等に転送される場合には、画像はＱＮＴ／ＰＭ４６の座標系で原点よりｘ軸方向から読み出されていく。
【０１３９】
第２に、ファクシミリ機能の場合について説明する（ＳＴ２−１〜ＳＴ２−４）。ここでは、ファクシミリ送信対象及び受信対象の原稿がポートレートの場合を想定して説明するが、ランドスケープの場合でも同じである。
【０１４０】
ファクシミリ機能による原稿送信の場合、原稿画像入力に際して、ＡＤＦ２０７を利用して原稿載置台２１２に原稿がセットされる場合と、直接原稿載置台２１２に原稿がセットされる場合とがある。ＡＤＦ２０７を利用する場合、原稿の印刷面が上側となるように（フェースアップ）、かつ原稿下側がＡＤＦ２０７の搬送方向となるようにセットされるものとする。つまり、ＡＤＦ２０７に原稿をセットする操作者側から見て、原稿の印刷面が見える状態で、かつ操作者側の右手方向に原稿の上側が、操作者側の左手方向に原稿の下側が、操作者側の手前方向に原稿の右側がくるようにように原稿がセットされる（ＳＴ２−１）。
【０１４１】
このようにセットされた原稿は、ＡＤＦ２０７により原稿載置台２１２に搬送される。このとき、原稿は反転され、原稿載置台２１２に原稿の印刷面が接するように原稿載置台２１２にセットされる。ＡＤＦ２０７を利用せず、直接原稿載置台２１２に原稿がセットされる場合は、このような状態となるように原稿がセットされる（ＳＴ２−２）。
【０１４２】
原稿載置台２１２に原稿がセットされると、このセットされた原稿が読み取られる。このとき、原稿は印刷面の上側から読み取りが開始され、原稿の左右方向が主走査方向となり、上下方向が副走査方向となる（ＳＴ３−３）。
【０１４３】
このようにして読み取られた原稿の画像データは、１ラインずつＣＯＤＥＣ６６に転送され、ファイルメモリ６８に展開される。このとき、画像データは、ＳＴ２−４に示すようにファイルメモり６８上に展開されることになる。つまり、原稿画像の上側方向の画像データから順に下側方向の画像データが展開される。
【０１４４】
ファクシミリ機能による原稿受信の場合には、上記説明したＳＴ２−３、ＳＴ２−４の順に原稿が受信される。
【０１４５】
第３に、プリンタ機能の場合について説明する（ＳＴ３−２〜ＳＴ３−４、ＳＴ４−２〜ＳＴ４−４）。ここでは、プリント対象がポートレートの場合とランドスケープの場合とに分けて説明する。
【０１４６】
プリント対象がポートレートの場合（ＳＴ３−２）、原稿画像の上側に対応する画像データから受信が開始され、次第に、原稿画像の下側に対応する画像データが受信されることになる。また、このとき原稿の左右方向が主走査方向となり、上下方向が副走査方向となる（ＳＴ３−３）。
【０１４７】
このようにして受信された画像データは、１ラインずつＱＮＴ／ＰＭ４６に転送され、ページメモリ４４に展開される。このとき、画像データは、ＳＴ３−４に示すようにページメモリ４４上に展開されることになる。つまり、原稿画像の上側方向の画像データから順に下側方向の画像データが展開される。
【０１４８】
プリント対象がランドスケープの場合（ＳＴ４−２）、原稿画像の右側に対応する画像データから受信が開始され、次第に、原稿画像の左側に対応する画像データが受信されることになる。また、このとき原稿の上下方向が主走査方向となり、左右方向が副走査方向となる（ＳＴ４−３）。
【０１４９】
このようにして受信された画像データは、１ラインずつＱＮＴ／ＰＭ４６に転送され、ページメモリ４４に展開される。このとき、画像データは、ＳＴ４−４に示すようにページメモリ４４上に展開されることになる。つまり、原稿画像の右側方向の画像データから順に左側方向の画像データが展開される。
【０１５０】
上記説明したように、プリンタ機能の場合、ページメモリ４４上では、短手方向＝主走査方向となるように画像が転送される。
【０１５１】
次に、この発明の第１の実施形態について説明する。この第１の実施形態は、複写機能、ファクシミリ機能、及びプリンタ機能夫々における印刷順序に関する内容である。
【０１５２】
印刷順序には、先頭頁から最終頁まで順に印刷する昇順、及び最終頁から先頭頁まで順に印刷する降順の２種類がある。原稿の前後関係と印刷結果の前後関係を一致させるため、印刷順序が昇順の場合と降順の場合とでは印刷された用紙の排出方法が次のように異なる。なお、排出される用紙は、排紙トレイ３６２に下から順に積み上げられるように排出されるものとする。
【０１５３】
昇順で片面印刷が実行される場合には、まず、先頭頁が用紙の片面に印刷される。この先頭頁が印刷された用紙の印刷面が、積み上げられる方向と反対方向、つまり排紙トレイ３６２方向に向けて排出される（フェースダウン）。次に、第２頁目が用紙の片面に印刷される。この第２頁目が印刷された用紙の印刷面が、積み上げられる方向と反対方向、つまり排紙トレイ３６２方向に向けて排出される（フェースダウン）。このとき、第２頁目が印刷された用紙は、先頭頁が印刷された用紙の上に積み上げられ排出されることになる。また次に、第３頁目が用紙の片面に印刷される。この第３頁目が印刷された用紙の印刷面が、積み上げられる方向と反対方向、つまり排紙トレイ３６２方向に向けて排出される（フェースダウン）。このとき、第３頁目が印刷された用紙は、第２頁目が印刷された用紙の上に積み上げられ排出されることになる。このように、昇順で片面印刷の場合には、印刷された用紙がフェースダウンで排出されることになる。図２１にその様子を示す。なお、印刷された用紙をフェースダウンで排出する場合、本装置（図２）の機構上、排出手段としてのＡＤＤ２７０により印刷面を反転させてから排出することになる。
【０１５４】
また、昇順で両面印刷の場合には、まず、先頭頁及び第２頁目が印刷された用紙の先頭頁が印刷された面が排紙トレイ３６２方向に向けて排出される。次に、第３頁目及び第４頁目が印刷された用紙の第３頁目が印刷された面が排紙トレイ３６２方向に向けて排出される。この場合にも、排出手段としてのＡＤＤ２７０により印刷面を反転させてから排出することになる。
【０１５５】
降順で片面印刷が実行される場合には、まず、最終頁（Ｎ）が用紙の片面に印刷される。この最終頁が印刷された用紙の印刷面が、積み上げられる方向に向けて、つまり排紙トレイ３６２方向と反対方向に向けて排出される（フェースアップ）。次に、第（Ｎ−１）頁目が用紙の片面に印刷される。この第（Ｎ−１）頁目が印刷された用紙の印刷面が、積み上げられる方向に向けて、つまり排紙トレイ３６２方向と反対方向に向けて排出される（フェースアップ）。このとき、第（Ｎ−１）頁目が印刷された用紙は、最終頁が印刷された用紙の上に積み上げられ排出されることになる。また次に、第（Ｎ−２）頁目が用紙の片面に印刷される。この第（Ｎ−３）頁目が印刷された用紙の印刷面が、積み上げられる方向に向けて、つまり排紙トレイ３６２方向と反対方向に向けて排出される（フェースアップ）。このとき、第（Ｎ−２）頁目が印刷された用紙は、第（Ｎ−１）頁目が印刷された用紙の上に積み上げられ排出されることになる。このように、降順で片面印刷の場合には、印刷された用紙がフェースアップで排出されることになる。図２１にその様子を示す。
【０１５６】
また、降順で両面印刷の場合には、まず、最終頁（Ｎ）及び第（Ｎー１）頁目が印刷された用紙の最終頁が印刷された面が排紙トレイ３６２方向に向けて排出される。次に、第（Ｎ−２）頁目及び第（Ｎ−３）頁目が印刷された用紙の第（Ｎ−２）頁目が印刷された面が排紙トレイ３６２方向に向けて排出される。
【０１５７】
上記説明したような印刷順序により印刷される印刷対象となる画像データは、機能別に次のようにして獲得される。複写機能実行時には、印刷対象の画像データは獲得手段としてのスキャナ５０により獲得される（読み取られる）。ファクシミリ機能実行時には、送信対象の画像データは同じく獲得手段としてのスキャナ５０により獲得され（読み取られ）、受信対象（印刷対象）の画像データは獲得手段としてのＭＯＤＥＭ７６を介して獲得される（受信される）。プリンタ機能実行時には、印刷対象となる画像データは獲得手段としてのＬＡＮＣ５４により獲得される（受信される）。
【０１５８】
複写機能実行時に読み取られた印刷対象の画像データはＱＮＴ／ＰＭ４６において符号化／圧縮され、記憶手段としてのページメモリ４４又はＨＤＤ３７等に蓄積される。ファクシミリ機能実行時に読み取られた送信対象の画像データはＣＯＤＥＣ６６において符号化／圧縮され、記憶手段としてのファイルメモリ６８に蓄積される。ファクシミリ機能実行時に受信された印刷対象の画像データファイルは同じく記憶手段としてのファイルメモリ６８に蓄積される。プリンタ機能実行時に受信された印刷対象の画像データはＱＮＴ／ＰＭ４６において符号化／圧縮され、記憶手段としてのページメモリ４４又はＨＤＤ３７等に蓄積される。このようにページメモリ４４、ＨＤＤ３７、又はファイルメモリ６８に蓄積される画像データは、一連の原稿に相当する分をひとまとまりとして１ファイルとして取り扱われる。なお、ページメモり４４、ＨＤＤ３７、及びファイルメモリ６８等の画像データを記憶する記憶手段を総称して記憶部とする。
【０１５９】
図１６に示すジョブパラメータテーブルには、獲得手段により獲得された画像データから成る画像データファイルに関する情報が記録されるようになっている。例えば、この画像データファイルに関する情報には、原稿１頁分の画像データが記憶部に蓄積される毎に１頁分の属性が追加記録される。また、画像データファイル内では、画像データの入力順に画像データに対して１頁、２頁、…、ｎ頁と頁番号が振られている。従って、画像データが昇順で入力されたか、降順で入力されたかによって画像データファイルを先頭頁から順に読み出すか、最終頁から順に読み出すのかが全体制御部１１８により判定される。つまり、この全体制御部１１８により判定される画像データファイルの読み出し順序に従って、プリンタ５２により画像形成処理が実行されることになる。因みに、先頭頁から順に画像形成処理を実行するモードを第１の画像形成処理モード、最終頁から順に画像形成処理を実行するモードを第２の画像形成処理モードとし、これらモードは画像形成処理手段としての全体制御部１１８及びプリンタ５２により実行されることになる。
【０１６０】
現在、多くの複写機には、複写対象の原稿画像を降順で入力し降順で出力する方式が採用されている。この場合、原稿画像の頁の並びと出力画像の頁の並びとが一致するように、出力画像はフェースアップで排出されている。また、多くのプリンタには、プリント対象の画像データを昇順で受け取り昇順で出力する方式が採用されている。これは、画像データの送信先であるＰＣ等からの送信順序が、一般的に昇順であることに起因する。この場合、出力画像は頁の並びが変化しないようにフェースダウンで排出される。勿論、画像データの送信先であるＰＣ等からの送信順序が降順である場合には降順で出力する方式が採用されることになり、この場合、出力画像は頁の並びが変化しないようにフェースアップで排出されることになる。さらに、ファクシミリでは、原則、画像データを昇順で送信すること前提とされている。つまり、ファクシミリにおいて受信される画像データは昇順で受信されることになり、昇順で出力されることになる。この場合、出力画像は頁の並びが変化しないようにフェースダウンで排出される。
【０１６１】
この発明では、複写機能、ファクシミリ機能、及びプリンタ機能等の複数の機能を有する画像形成装置において、各機能の特徴に応じた出力処理を可能とする。図２に示すように、この発明の画像形成装置は、機構的にフェースアップ出力が適している（フェースアップ出力の方がフェースダウン出力に比して印刷に要する時間を短くできる）。フェースアップで出力するには、降順で印刷する必要がある。しかし、昇順で入力されてくる画像データを降順で印刷するには、印刷対象となる原稿の全頁に相当する画像データファイルを一旦記憶し、最後に蓄積された頁（最終頁）から順に印刷を開始する必要がある。ところが、画像データファイルを記憶するページメモリ４４又はＨＤＤ３７等には記憶容量に限界があり、画像データファイルのサイズによっては画像データファイル全体を記憶できないことがある。
【０１６２】
そこで、この発明では図２２のフローチャートに示すような方法で印刷処理が制御される。印刷処理は、複写制御部１１４から出力される印刷ジョブ、ＦＡＸ通信制御部１２０から出力される印刷ジョブ、又はプリント制御部１２２から出力される印刷ジョブが全体制御部１１８において受け付けられると開始される（ＳＴ２０）。また、このとき、全体制御部１１８では印刷ジョブの種類が判別される（ＳＴ２２）。つまり、印刷ジョブが、複写機能、ファクシミリ機能、又はプリンタ機能によるものかが判別される。
【０１６３】
印刷ジョブが複写機能によるものである場合（ＳＴ２４）、出力順序は入力順、つまり降順と判断され（ＳＴ２６）、用紙がフェースアップで排紙トレイ３６２上に排出される（ＳＴ２８）。つまり、印刷ジョブが複写機能によるものである場合には、第１の画像形成モードが実行され、印刷された用紙がフェースアップで排紙トレイ３６２上に排出される。但し、プリンタ機能において、ＰＣからのデータ送信順序が降順のときには第１の画像形成モードによりフェースアップで排出される。なお、用紙がフェースアップで排紙トレイ３６２上に排出される場合には、画像形成処理後の用紙はＡＤＤ２７０を経由せずそのまま排紙トレイ３６２上に排出される。
【０１６４】
印刷ジョブがファクシミリ機能又はプリンタ機能によるものである場合（ＳＴ３０）、印刷対象となる画像データが記憶部に記憶される過程において、記憶部におけるメモリフルの発生が監視される（ＳＴ３２）。メモリフルの発生は、記憶部の記憶容量の残量に応じて判断される。つまり記憶部の記憶容量の残量が所定値以下になった場合にメモリフル発生と判断される。メモリフルが発生した場合には（ＳＴ３２、ＹＥＳ）、出力順序は入力順、つまり昇順と判断され（ＳＴ３８）、用紙がフェースダウンで排紙トレイ３６２上に排紙される（ＳＴ４０）。但し、プリンタ機能において、ＰＣからのデータ送信順序が降順であるときは出力順序は降順となり用紙がフェースアップで排出される。つまり、印刷ジョブがファクシミリ機能又はプリンタ機能によるものである場合で、かつメモリフルが発生したときには、第２の画像形成モードが実行され、印刷された用紙がフェースダウンで排紙トレイ３６２上に排出される。なお、用紙がフェースダウンで排紙トレイ３６２に排出される場合には、画像形成処理後の用紙はＡＤＤ２７０経由し画像形成処理面が反転されてから排紙トレイ３６２上に排出される。
【０１６５】
メモリフルが発生することなく（ＳＴ３２、ＮＯ）、印刷対象となる一連の画像データが全て受信されると（ＳＴ３４、ＹＥＳ）、フェースアップ指定の有無が確認される（ＳＴ３６）。このフェースアップ指定は、予めユーザにより操作パネル２０２から指定されるものである。フェースアップ指定されているときには（ＳＴ３６、ＹＥＳ）、記憶部に記憶された画像データが降順で読み出され、出力順序は降順と判断され（ＳＴ４２）、用紙がフェースアップで排紙トレイ３６２に排紙される（ＳＴ４４）。つまり、メモリフルが発生することなく、フェースアップ指定されているときには、第１の画像形成モードが実行され、印刷された用紙がフェースアップで排紙トレイ３６２上に排出される。
【０１６６】
フェースアップ指定されていないときには（ＳＴ３６、ＮＯ）、記憶部に記憶された画像データが昇順で読み出され、出力順序は入力順、つまり昇順と判断され（ＳＴ３８）、用紙がフェースダウンで排紙トレイ３６２上に排紙される（ＳＴ４０）。つまり、メモリフルが発生することなく、フェースアップ指定されていないときには、第２の画像形成モードが実行され、印刷された用紙がフェースダウンで排紙トレイ３６２上に排出される。
【０１６７】
このように印刷出力を制御することにより次のような作用効果が得られる。複写機能実行時には、印刷はフェースアップで降順出力されるので、従来の複写機と同様の印刷結果を得ることができる。これにより、ユーザは違和感無く複写機能を利用することができる。また、ファクシミリ機能実行時又はプリンタ機能実行時には、メモり残量、又はフェースアップ指定の有無に応じてフェースアップによる降順出力及びフェースダウンによる昇順出力が選択される。これにより、メモリフル発生に伴うエラーを回避することができる。さらに、ユーザ所望の出力を得ることもできる。
【０１６８】
次に、この発明の第２の実施形態について説明する。この第２の実施形態は、複写機能、ファクシミリ機能、及びプリンタ機能夫々における出力画像のセンタリング処理及びコーナリング処理に関する内容である。
【０１６９】
まず、センタリング処理及びコーナリング処理について図２３を参照して説明する。出力される画像とこの出力される画像の出力先となる用紙のサイズが異なる（出力される画像より用紙の方が大きい）場合に、用紙中央と画像中央が一致するように印刷する処理をセンタリング処理と称する。また、画像を用紙のある頂点方向へ寄せて印刷する処理をコーナリング処理と称する。なお、コーナリング処理には、図２３に示すように、用紙の左上頂点に画像を寄せて形成する左上コーナリング処理、用紙の右上頂点に画像を寄せて形成する右上コーナリング処理、用紙の左下頂点に画像を寄せて形成する左下コーナリング処理、及び用紙の右下頂点に画像を寄せて形成する右下コーナリング処理がある。これらセンタリング処理及びコーナリング処理はユーザの指示に基づき実行される。
【０１７０】
センタリング処理及びコーナリング処理は、次のようにして実現される。まず、ＱＮＴ／ＰＭ４６に付帯するページメモリアクセス用のＡＳＩＣにより、画像データに含まれる画像サイズデータ及び用紙サイズデータを基に、用紙に対応するサイズのページメモリ上のどの位置へ画像を展開するかが計算される。そして、この計算結果に従って、ページメモリの所定位置に画像が展開されることにより実現される。なお、ページメモリ上のどの位置へ画像を展開するかの計算は、図１４及び図１５に示すフローチャート中の「ページバッファの書き込み位置の計算」の部分で行われる。さらに、この「ページバッファの書き込み計算」は、後述する図２４及び図２５に示すフローチャートにより詳細に説明されている。図２４及び図２５に示すフローチャートに示すように、この発明の画像形成装置では、図１９に示すジョブ種別により異なる画像データの向きを十分に意識して、コーナリングの方向が画像の向きに対して正しくなるようにコーナリング処理が行われる。このことに関しては、後に詳しく説明する。
【０１７１】
また、綴じ代が有効であるときには、一時的にセンタリング／コーナリングの指定を一部解除して、綴じ代側に画像を寄せる処理を追加している。これは、綴じ代はページメモリ上のデータをプリンタへ転送する際に画像をシフトさせることによって実現しているため、センタリング／コーナリングによる画像消失量の増加を避けるためである。この綴じ代が有効であるときのセンタリング／コーナリング処理は、図２７に示す綴じ代によるコーナリング位置変換テーブルに基づき実行される。なお、この綴じ代によるコーナリング変換テーブルは、ＮＶＲＡＭ３４に記憶されているものとする。
【０１７２】
さらに、センタリング／コーナリング指定がユーザの初期設定によって指定されているとき、ジョブ種別が複写又はプリンタであるときには指定通りにセンタリング／コーナリングを行えばよい。ところが、ロール紙を用いた機器におけるＦＡＸでは、有効画像を定型用紙幅×必要長さだけデータを送信していることから、指定どおり送信指定用紙サイズにセンタリング／コーナリングを行うと、通常の場合よりも通信時間が長くなることもあり、ＦＡＸ送信の際には都合が悪い。従って、ＦＡＸ送信の際にはセンタリング／コーナリングの設定を、副走査方向だけは無効にして副走査方向に原点寄りによせ、主走査方向には設定通りの画像配置を行うように、原稿データ入力部１１２ａによるページメモリの書き込み位置計算において図２６に示すような制御が行われている。なお、本装置では、ファクシミリ機能において画像データ送信時には綴じ代は組み合わせ禁止とする。
【０１７３】
この発明では、複写機能、ファクシミリ機能、及びプリンタ機能等の複数の機能を有する画像形成装置において、所望のコーナリング処理及び綴じ代処理を可能とする。つまり、図１９で説明したように、各機能に応じてメモり上の画像データの展開状態が異なるため、この展開状態の違いを吸収してコーナリング処理及び綴じ代処理を実行する。
【０１７４】
コーナリング処理の場合は、操作パネル２０２から受け付けられるコーナリング指示、つまり右上コーナリング、左下コーナリング、右上コーナリング、又は左下コーナリングの指示に基づき実行される。ところが、コーナリング処理は、実際には、ページメモリ上の画像に対して行われるため、指示されたコーナリング処理位置をページメモリ上の位置に変換する必要がある。この変換は、図２８に示すコーナリング処理位置変換テーブルに従って実行される。なお、このコーナリング処理位置変換テーブルは、ＮＶＲＡＭ３４に記憶されるものとする。
【０１７５】
ここで、図２８を参照してコーナリング処理位置の変換について説明する。複写機能実行時には、ユーザ指定のコーナリング処理位置とコーナリング処理位置変換テーブルによる変換後のコーナリング処理位置とは同じになる。つまり、ユーザ指定のコーナリング処理位置が右上コーナリング、右下コーナリング、左上コーナリング、又は左下コーナリングの場合、変換後のコーナリング処理位置は、夫々、右上コーナリング、右下コーナリング、左上コーナリング、又は左下コーナリングとなる。
【０１７６】
ファクシミリ機能実行時には、ユーザ指定のコーナリング処理位置が右上コーナリング、右下コーナリング、左上コーナリング、又は左下コーナリングの場合、変換後のコーナリング処理位置は、夫々、右下コーナリング、左下コーナリング、右上コーナリング、又は左上コーナリングとなる。
【０１７７】
プリンタ機能実行時においてプリンタ対象がランドスケープのときには、ユーザ指定のコーナリング処理位置が右上コーナリング、右下コーナリング、左上コーナリング、又は左下コーナリングの場合、変換後のコーナリング処理位置は、夫々、右上コーナリング、右下コーナリング、左上コーナリング、又は左下コーナリングとなる。
【０１７８】
プリンタ機能実行時においてプリンタ対象がポートレートのときには、ユーザ指定のコーナリング処理位置が右上コーナリング、右下コーナリング、左上コーナリング、又は左下コーナリングの場合、変換後のコーナリング処理位置は、夫々、右下コーナリング、左下コーナリング、右上コーナリング、又は左上コーナリングとなる。
【０１７９】
このように、各機能におけるページメモリ上の展開状態の違いを吸収して、ユーザ指定のコーナリング処理位置をページメモリ上の位置に変換することにより、ユーザ指定のコーナリング処理位置にコーナリング処理を実行することができる。
【０１８０】
一方、綴じ代処理の場合は、操作パネル２０２から受け付けられる綴じ代指示、つまり長手方向左手綴じ、長手方向右手綴じ、短手方向左手綴じ、又は短手方向右手綴じの指示に基づき実行される。ところが、綴じ代処理も、実際には、ページメモリ上の画像に対して行われるため、指示された綴じ代処理位置をページメモリ上の位置に変換する必要がある。この変換は、図２９及び図３０に示す綴じ代処理位置変換テーブルに従って実行される。なお、この綴じ代処理位置変換テーブルは、ＮＶＲＡＭ３４に記憶されるものとする。
【０１８１】
ここで、図２９及び図３０、並びに図３１〜図３４を参照して綴じ代処理の変換について説明する。まず、綴じ代処理の前提は図３１に示すようになっている。即ち、出力結果が縦長画像（メモリ展開時主走査＝長手方向）の場合には、長手方向左綴じ指定、長手方向右綴じ指定、短手方向左綴じ指定、又は短手方向右綴じ指定により、付加される綴じ代の位置が、夫々画像右側、画像左側、画像下側、又は画像上側となるとする。出力結果が横長画像（メモリ展開時主走査＝短手方向）の場合には、長手方向左綴じ指定、長手方向右綴じ指定、短手方向左綴じ指定、又は短手方向右綴じ指定により、付加される綴じ代の位置が、夫々画像下側、画像上側、画像右側、又は画像下側となるとする。
【０１８２】
このような前提が有るとすると、複写機能実行時には、図３２に示すように指定された綴じ代がメモリ上の画像に対して付加される。即ち、メモリ上展開状態ａ１の場合には、長手方向左綴じ指定、長手方向右綴じ指定、短手方向左綴じ指定、又は短手方向右綴じ指定により、付加される綴じ代の位置が、夫々主走査方向後端、主走査方向先端、副走査方向後端、又は副走査方向先端となる（図２９のメモリ複写の欄参照）。メモリ上展開状態ａ２の場合には、長手方向左綴じ指定、長手方向右綴じ指定、短手方向左綴じ指定、又は短手方向右綴じ指定により、付加される綴じ代の位置が、夫々副走査方向後端、副走査方向先端、主走査方向後端、又は主走査方向先端となる（図３０のメモリ複写の欄参照）。
【０１８３】
ファクシミリ機能実行時には、図３３に示すように指定された綴じ代がメモリ上の画像に対して付加される。即ち、メモリ上展開状態ｂ１の場合には、長手方向左綴じ指定、長手方向右綴じ指定、短手方向左綴じ指定、又は短手方向右綴じ指定により、付加される綴じ代の位置が、夫々主走査方向後端、主走査方向先端、副走査方向先端、又は副走査方向後端となる（図２９のＦＡＸの欄参照）。メモリ上展開状態ｂ２の場合には、長手方向左綴じ指定、長手方向右綴じ指定、短手方向左綴じ指定、又は短手方向右綴じ指定により、付加される綴じ代の位置が、夫々副走査方向先端、副走査方向後端、主走査方向後端、又は主走査方向先端となる（図３０のＦＡＸの欄参照）。
【０１８４】
プリンタ機能実行時には、図３４に示すように指定された綴じ代がメモリ上の画像に対して付加される。即ち、メモリ上展開状態ｃ１（ランドスケープ）の場合には、長手方向左綴じ指定、長手方向右綴じ指定、短手方向左綴じ指定、又は短手方向右綴じ指定により、付加される綴じ代の位置が、夫々副走査方向後端、副走査方向先端、主走査方向後端、又は主走査方向先端となる（図３０のプリンタランドスケープの欄参照）。メモリ上展開状態ｃ２の場合には、長手方向左綴じ指定、長手方向右綴じ指定、短手方向左綴じ指定、又は短手方向右綴じ指定により、付加される綴じ代の位置が、夫々副走査方向先端、副走査方向後端、主走査方向後端、又は主走査方向先端となる（図３０のプリンタポートレートの欄参照）。
【０１８５】
このように、各機能におけるページメモリ上の展開状態の違いを吸収して、ユーザ指定の綴じ代処理位置をページメモリ上の位置に変換することにより、ユーザ指定の綴じ代処理位置に綴じ代処理を実行することができる。
【０１８６】
ここで、図２４及び図２５のフローチャートについて説明する。まず、解像度と用紙サイズより画像を展開するために必要なページメモリのサイズを予め用意されたテーブルを参照することによって得る（ＳＴ１６０）。ここでは、主走査画素数（主走査方向サイズ）をＸ１、副走査ライン数（副走査方向サイズ）をＹ１とする。綴じ代処理が指定されているときには、上記説明したように指定された綴じ代位置がページメモリ上の位置に変換される（ＳＴ１６２）。コーナリング処理が指定されているときには、上記説明したように指定されたコーナリング位置がページメモリ上の位置に変換される（ＳＴ１６４）。
【０１８７】
センタリング／コーナリング処理、及び綴じ代処理には次のような２種類が有る。一つは、ページメモリからプリンタへデータを転送する際に白データを付加して綴じ代を付ける（ＳＴ１７４）。もう一つは、予めページメモリ上に綴じ代分を用意し、それ以外の領域に画像データを展開する（ＳＴ１６８〜ＳＴ１７２）。縮小連結が無効なときは（ＳＴ１６６、ＮＯ）前者、縮小連結が有効なときには（ＳＴ１６６、ＹＥＳ）後者が採用される。  従って、連結縮小が有効なときには（ＳＴ１６６、ＹＥＳ）、ページメモリ上から書き込みできない部分が取り除かれる。つまり、有効画像書き込み可能範囲が算出される（ＳＴ１７０、ＳＴ１７２）。この算出は、綴じ代が主走査方向になる場合と副走査方向になる場合に分けて行われる（ＳＴ１６８、ＹＥＳ／ＮＯ）。
【０１８８】
続いて、主走査方向及び副走査方向の連結数に応じて（ＳＴ１７６）、１画像あたりの有効画像書き込み可能範囲が算出される（ＳＴ１７８）。さらに、綴じ代指定に従い（ＳＴ１８０）、処理の都合上、原点を移動させる修正原点算出処理が行われる（ＳＴ１８２〜１８６）。ここで、有効画像主走査画素数、及び有効画像副走査ライン数が設定される（ＳＴ１８８）。さらに、センタリング／コーナリング指定に従い（ＳＴ１９２）、センタリング処理及びコーナリング処理が行われる（ＳＴ１９４〜ＳＴ２１２）。つまり、センタリング時の画像ずらしベクトル、及びコーナリング時の画像ずらしベクトルが算出される。その後、画像展開位置ベクトルが決定され（ＳＴ２１４）、画像展開処理が実行される（ＳＴ２１６〜２１８）。
【０１８９】
続いて、図２６のフローチャートについて説明する。ジョブの種別が複写の場合（ＳＴ２２２）、入力時に貼り付け位置制御の必要はなく、ページメモリ原点から画像データの展開を行えばよい（ＳＴ２２４）。ジョブの種別がＦＡＸの場合（ＳＴ２２２）、画像データ展開位置の決定ルーチンに移る（ＳＴ２２６〜２５０）。
【０１９０】
ここでは、主走査画素数（主走査方向サイズ）をＸ１、副走査ライン数（副走査方向サイズ）をＹ１とする（ＳＴ２２６）。コーナリングが有効なときにはコーナリング方向変換処理が実行される（ＳＴ２２８）。続いて、主走査方向及び副走査方向の連結数に応じて（ＳＴ２３０）、１画像あたりの有効画像書き込み可能範囲が算出される（ＳＴ２３２）。さらに、センタリング／コーナリング指定に従い（ＳＴ２３６）、センタリング処理及びコーナリング処理が行われる（ＳＴ２３８〜ＳＴ２４６）。つまり、センタリング時の画像ずらしベクトル、及びコーナリング時の画像ずらしベクトルが算出される。その後、画像展開位置ベクトルが決定され（ＳＴ２４８）、画像展開処理が実行される（ＳＴ２５０〜２５２）。
【０１９１】
次に、この発明の第３の実施形態について説明する。この第３の実施形態は、複写機能、ファクシミリ機能、及びプリンタ機能夫々における出力画像の縮小連結処理に関する内容である。
【０１９２】
縮小連結処理については、既に説明したように、複数頁分の画像データ（２頁分又は４頁分）を一枚の原稿に納めて出力する処理である。この縮小連結処理は、単一頁分のページメモリに複数頁分の画像データを展開することによって実現される。従って、この縮小連結処理は、画像データ獲得時（入力時）及び画像データ出力時（印刷時）のどちらのタイミングで実行しても構わない。ところが、この発明の画像形成装置では、複写機能実行時には降順で原稿入力されることが前提とされている。この場合には、原稿の総枚数が判明するまで連結縮小処理は実行できない。即ち、このような場合には、画像データ出力時に連結縮小処理が実行されることになる。
【０１９３】
ここで、図３５及び図３６を参照して縮小連結処理を具体的に説明する。図３５は、縦長原稿の縮小連結処理のイメージを示す図である。例えば、縦長原稿、原稿１（先頭頁）、原稿２、原稿３、及び原稿４（最終頁）が縮小連結処理対象であるとする。このとき、横書き４in１、縦書き４in１、横書き２in１、又は縦書き２in１による縮小連結処理は、夫々図３５に示すような処理結果となる。
【０１９４】
図３５は、横長原稿の縮小連結処理のイメージを示す図である。例えば、横長原稿、原稿１（先頭頁）、原稿２、原稿３、及び原稿４（最終頁）が縮小連結処理対象であるとする。このとき、横書き４in１、縦書き４in１、横書き２in１、又は縦書き２in１による縮小連結処理は、夫々図３６に示すような処理結果となる。
【０１９５】
この発明の画像形成装置では、図１９で説明したように、複数機能をサポートしているためページメモリ上に展開された画像の方向は一通りではない。従って、この発明の画像形成装置では、ジョブ種別により異なる画像データの向きを十分に意識して縮小連結処理を行う必要がある。このような連結縮小処理は、図３７〜図４２に示す縮小連結処理／定型分割処理テーブルを基にして実行される。なお、この縮小連結処理／定型分割処理テーブルはＮＶＲＡＭ３４に記憶されるものとする。
【０１９６】
画像出力時における縮小連結処理は、図１４及び図１５のフローチャートに示すように実行される。このフローチャートのページメモリの書き込み位置の計算部分で連結パターンの選択が行われている。画像入力時における縮小連結処理は、図１３のフローチャートに示すように実行される。このフローチャートのページメモリ書き込み位置の計算部分で連結パターンの選択が行われている。
【０１９７】
また、縮小連結の効果として省ペーパーであることが挙げられるが、この発明の画像形成装置は、初期設定によって省ペーパーを目的としてＦＡＸ受信データを常に２in１に出力するモードを有する。しかし、ＦＡＸは解像度によっては縮小処理により読みづらくなることがある。そこで図１４及び図１５のフローチャートに示すジョブ解析処理（ＳＴ１０６）において、ＦＡＸの解像度に応じて縮小連結の指定を有効にしたり無効にしたりする処理を実行するようにする。例えば、所定解像度以下の場合、縮小連結処理（２in１）設定を無効とする。
【０１９８】
ここで、図３７〜図４２に示す縮小連結処理／定型分割処理テーブルを基に実行される縮小連結処理について説明する。前提となるページメモリの座標と領域の関係は図４３に示すようになっているものとする。つまり、領域ａ→（０、１）、領域ｂ→（０、０）、領域ｃ→（１、１）、領域ｄ→（１、０）となっているものとする。縮小連結処理／定型分割処理テーブルにおけるカウンタカウンタとは、昇順、降順にかかわりなく、文書の出来上がりに対して先頭から０、１、２、３と貼り付ける順序を対応させるために用意される変数である。つまり、昇順のときには０、１、２、３とカウントされ、降順のときには３、２、１、０とカウントされる。図３５に示す原稿が、例えば、原稿４（最終頁）→原稿３→原稿２→原稿１（先頭頁）の順でファイル化されている場合には、３、２、１、０とカウンタが回される。逆に、原稿が、原稿１（先頭頁）→原稿２→原稿３→原稿４（最終頁）の順でファイル化されている場合には、０、１、２、３とカウンタが回される。
【０１９９】
このような前提の基で、図３７に示すテーブルに基づき横書き４in１の縮小連結処理、図３８に示すテーブルに基づき縦書き４in１の縮小連結処理、図３９に示すテーブルに基づき横書き２in１（主走査方向短手原稿／主走査方向長手ページメモリ）の縮小連結処理、図４０に示すテーブルに基づき横書き２in１（主走査方向長手原稿／主走査方向短手ページメモリ）の縮小連結処理、図４１に示すテーブルに基づき縦書き２in１（主走査方向短手原稿／主走査方向長手ページメモリ）の縮小連結処理、図４２に示すテーブルに基づき縦書き２in１（主走査方向長手原稿／主走査方向短手ページメモリ）の縮小連結処理が実行される。これにより、各機能によるページメモリ上の展開状態の違いを吸収して、縮小連結処理を実行することができる。
【０２００】
次に、この発明の第４の実施形態について説明する。この第４の実施形態は、複写機能、及びファクシミリ機能夫々における出力画像の定型分割処理に関する内容である。
【０２０１】
まず、定型分割処理について説明する。定型分割処理とは、１枚の原稿を２枚又は４枚の画像データとして分割して取り込み、ファイル化して印刷、ＦＡＸ送信を行う機能である。図４４に定型分割処理のイメージを示す。また、定型分割処理は、縮小連結処理の逆と考えることができる。そう考えると、図３５及び図３６で定型分割処理をイメージすることができる。この発明の画像形成装置では、１枚の原稿に対し分割する枚数と同じ回数だけスキャンを行いそれぞれ取り込みたい範囲の部分（副走査方向）のみスキャンを行い、必要部分（主走査方向）を切り出してページメモリに展開して、その画像データをファイル化することによって処理を実現している。
【０２０２】
この発明の画像形成装置では、図１９で説明したように、複数機能をサポートしているためページメモリ上に展開された画像の方向は一通りではない。従って、この発明の画像形成装置では、ジョブ種別により異なる画像データの向きを十分に意識して定型分割処理を行う必要がある。このような定型分割処理は、図３７〜図４２に示す縮小連結処理／定型分割処理テーブルを基にして実行される。なお、この縮小連結処理／定型分割処理テーブルはＮＶＲＡＭ３４に記憶されるものとする。
【０２０３】
この発明の画像形成装置では、図１３のフローチャートに示す読み取り位置計算処理部において画像切り出し範囲が決定されている。ここで、図４５のフローチャートにより画像切り出し範囲の決定方法について説明する。定型分割処理が有効でない場合には（ＳＴ２６２、ＮＯ）、通常の読み出し開始位置が設定され（ＳＴ２６４）、この設定された読み出し開始位置から読み出しが開始される。定型分割処理が有効である場合には（ＳＴ２６２、ＹＥＳ）、図３７〜図４２に従いページメモリ上における画像展開位置ベクトルが決定され（ＳＴ２６６）、これを基にして読み出し開始位置が設定され（ＳＴ２６８、ＳＴ２７０）、この設定された読み出し開始位置から読み出しが開始される。
【０２０４】
図３７に示すテーブルに基づき横書き１out４の定型分割処理、図３８に示すテーブルに基づき縦書き１out４の定型分割処理、図３９に示すテーブルに基づき横書き１out２（主走査方向短手原稿／主走査方向長手ページメモリ）の定型分割処理、図４０に示すテーブルに基づき横書き１out２（主走査方向長手原稿／主走査方向短手ページメモリ）の定型分割処理、図４１に示すテーブルに基づき縦書き１out２（主走査方向短手原稿／主走査方向長手ページメモリ）の定型分割処理、図４２に示すテーブルに基づき縦書き１out２（主走査方向長手原稿／主走査方向短手ページメモリ）の定型分割処理が実行される。これにより、各機能によるページメモリ上の展開状態の違いを吸収して、定型分割処理を実行することができる。
【０２０５】
次に、この発明の第５の実施形態について説明する。この第５の実施形態は、複写機能、ファクシミリ機能、及びプリンタ機能夫々に従って実行される両面印刷処理に関する内容である。
【０２０６】
この発明の画像形成装置では、既に説明したような方法で両面印刷処理が実行される。このとき、自動両面装置２７０の機構上の性質から、用紙は表面（第１面）が印刷された後、主走査方向を軸として反転され、裏面（第２面）が印刷される。つまり、主走査方向が両面印刷の結合軸となる。この性質は、図４６に示すような主走査方向を結合軸とした両面印刷処理に適している。さらに、この発明の画像形成装置（デジタル複写機能搭載）では、メモリ上のデータを１８０度回転して読み出しプリンタへ転送することにより、図４７に示すような副走査方向を結合軸とした両面印刷処理を実現することもできる。
【０２０７】
この発明の画像形成装置は、次のような状況に応じて、主走査方向又は副走査方向を結合軸として両面印刷を実行する。例えば、複写機能実行時又はプリンタ機能実行時において綴じ代処理が指定されている場合には、綴じ代方向を結合軸として両面印刷を実行する。つまり、綴じ代方向が主走査方向の場合には主走査方向を結合軸として両面印刷を実行し、綴じ代方向が副走査方向の場合には副走査方向を結合軸として両面印刷を実行する。また、複写機能実行時又はプリンタ機能実行時において綴じ代処理が指定されていない場合には、主走査方向を結合軸として両面印刷を実行する。さらに、ファクシミリ機能実行時には、副走査方向を結合軸として両面印刷を実行する（ＦＡＸの場合には画像転送方向の特徴から副走査方向を結合軸とする方が望ましい）。これにより、両面印刷の度に結合軸指定を行う手間が省ける。即ち、この発明によれば、両面印刷時の操作性に優れた画像形成装置が提供できることになる。
【０２０８】
このような両面印刷処理は、図１４及び図１５のフローチャートに示す回転角度の算出処理部において算出される回転角度に従って実行される。この回転角度算出処理部では、複写機能、ファクシミリ機能、及びプリンタ機能に応じて異なるページメモリ上の展開状態の違いを吸収するための、原稿の向きとページメモリ上に展開された画像データの向きとを対応させるための回転角度が算出される。さらに、副走査方向を両面印刷の結合軸とする場合には、第２面印刷時に回転角度を１８０度増すためにこの算出された回転角度に１８０度加算して、最終的な回転角度が算出される。
【０２０９】
ここで、図４８を参照して回転角度算出処理について説明する。まず、複写機能、ファクシミリ機能、及びプリンタ機能に応じて異なるページメモリ上の展開状態の違いを吸収するための、原稿の向きとページメモリ上に展開された画像データの向きとを対応させるための回転角度（回転角度１及び２）が算出される（ＳＴ２８２〜ＳＴ２９２）。ここで、両面印刷によりこれから第２面が印刷される場合には（ＳＴ２９４、ＹＥＳ）、ジョブの種別から両面印刷の結合軸が主走査方向なのか、又は副走査方向なのか判定される（ＳＴ２９６〜ＳＴ３１０）。両面印刷の結合軸が副走査方向と判定された場合には（ＳＴ３１０、ＹＥＳ）、原稿の向きとページメモリ上に展開された画像データの向きとを対応させるための回転角度に１８０度加算された回転角度が最終的な回転角度として算出される（ＳＴ３１２〜ＳＴ３１４）。両面印刷の結合軸が主走査方向と判定された場合には（ＳＴ３１０、ＮＯ）、原稿の向きとページメモリ上に展開された画像データの向きとを対応させるための回転角度が最終的な回転角度として算出される（ＳＴ３１４）。
【０２１０】
次に、この発明の第６の実施形態について説明する。この第６の実施形態は、複写機能、及びファクシミリ機能夫々に従って実行される原稿両面入力処理に関する内容である。
【０２１１】
この発明の画像形成装置は、ＡＤＦ２０７により原稿の両面入力を実現することができる。ＡＤＦ２０７の機構上、原稿は主走査方向に反転されて読み取られる。従って、両面原稿の結合軸が主走査方向である場合には原稿の向きは表（第１面）と裏（第２面）で変化することなく原稿載置台２１２にセットされる。
【０２１２】
複写機能実行時には、両面原稿は結合軸が主走査方向となるようにＡＤＦ２０７にセットされるのが一般的である。ところが、ファクシミリ機能実行には、両面原稿は結合軸が副走査方向となるようにＡＤＦ２０７にセットされるのが一般的となっており、この場合、表面と裏面の原稿の向きが反転してしまう。
【０２１３】
そこで、この発明の画像形成装置では、ファクシミリ機能実行時における原稿両面入力の際、裏面入力時に画像編集のための回転に１８０度の回転を加える。勿論、複写機能実行時における原稿入力の際には、画像編集のための回転のみ行う。これにより、ファクシミリ機能実行時における原稿両面入力を問題なく実行することができる。また、このような回転処理は、図１３のフローチャートに示す符号化圧縮処理部で行われるものとする。
【０２１４】
次に、この発明の第７の実施形態について説明する。この第７の実施形態は、複写機能、ファクシミリ機能、及びプリンタ機能夫々に従って実行される印刷処理後のステープル処理に関する内容である。
【０２１５】
この発明の画像形成装置は、図２に示すフィニッシャ３００においてステープル処理を実行する。ここで、図２に示すフィニッシャ３００について図４９〜図５１を参照して説明する。フィニッシャ３００は排出された一連の文書を一部単位でステープル止めし貯めていくものである。図４９に示すように、ステープルするコピー用紙Ｐが一枚排出口２６１から排出される度にガイドバー３０１にてステープルされる側に寄せて整合される。全てが排出され終わると紙押えアーム３０２が排出された一部単位のコピー用紙Ｐを抑え、ステープラユニット３０３がステープル止めを行う。その後、図５０の破線で示す位置にガイドバー３０１が下がり、ステープル止めが終わったコピー用紙Ｐは、その一部単位で図５１に示すようにフィニッシャ排出ローラ３０５にて排出トレイ３６２に排出される。排出トレイ３６２の下がる量は排出されるコピー用紙Ｐの枚数によりある程度決められ、一部単位に排出される度にステップ的に下がる。また排出されるコピー用紙Ｐを整合するガイドバー３０１は排出トレイ３６２上に載った既にステープル止めされたコピー用紙Ｐに当たらないような高さの位置にある。
【０２１６】
上記説明では、フィニッシャの一例としてステープル位置を装置本体２００方向手前側に固定する場合について説明したが、この発明の画像形成装置にオプションとして設定できるフィニッシャにはステープル位置を装置本体２００方向手前側と奥側のいずれかに指定可能なものもある。この発明の画像形成装置では、綴じ代処理及びステープル処理の両方が指定されているときには、綴じ代のある側にステープルを打つ仕様が採用されている。また、ステープル処理だけが指定されているときには画像の左上側にステープルを打つ仕様が採用されている。この他、縮小連結処理又は定型分割処理が指定されているときに与えられる縦書き／横書き情報に応じて、縦書きならば右上に、横書きならば左上にステープルを打つ仕様も考えられるがここでは詳細は省略する。
【０２１７】
上記したような仕様を実現する際に、ステープルの位置に制限がある（排紙された用紙の装置本体２００方向手前側にしかステープルできない）ことから、適宜、画像データの回転処理を行い画像形成することにより適切な位置にステープルを打つようにする。
【０２１８】
このステープル処理のための画像データの回転処理は、図４８のフローチャートにおいて、図５２及び図５３に示すテーブルに従い実行される。用紙の向きを変更することができる場合は図５２に示すテーブル、用紙の向きを変更することができない場合は図５３に示すテーブルに従い、画像データの回転角度とステープル位置が決定される。なお、この図５２及び図５３に示すテーブルは、ＮＶＲＡＭ３４に記憶されるものとする。因みに、図５２及び図５３の各テーブルの上段はステープルを打つ位置が装置本体２００手前側と奥側に指定できる場合の画像データの回転角度とステープル位置を示し、下段はステープルを打つ位置が指定できない場合の回転角度とステープル位置を示している。また、裏０度、裏１８０度というのは、ステープル位置が装置本体２００側に固定のフィニッシャのときには正しくステープルできないことを意味している。従って、この場合は、ステープル処理を解除するか、両面印刷方式を利用して用紙を反転させてフェースダウンで排紙しステープルを行う（裏０度：回転無しで用紙反転有り、裏１８０度：回転１８０度で用紙反転有り）。
【０２１９】
次に、この発明の第８の実施形態について説明する。この第８の実施形態は、複写機能、ファクシミリ機能、及びプリンタ機能夫々に従って実行される印刷処理における給紙処理に関する内容である。
【０２２０】
従来のデジタル複写機では、印刷処理中に用紙切れが発生すると次のような処理が実行される。回転印刷が可能な場合には、回転印刷に対応した用紙に印刷処理を行う（印刷処理継続）。回転印刷が不可能な場合、例えば、回転印刷に対応した用紙を得ることがきない場合には、印刷処理を中断する。複写機能単独の場合、このような処理が最適と考えられていた。
【０２２１】
この発明の画像形成装置は、複写機能、ファクシミリ機能、及びプリンタ機能等の複数の機能を有しているため、上記した処理では十分とは言えない。例えば、ファクシミリ機能実行時には次のような問題がある。仮に、夜間などユーザが近くにいない場合に、ファクシミリ機能により印刷処理（ＦＡＸ受信処理）が開始されるとする。この場合、用紙切れにより印刷処理が中断されると、ファイルメモリ６８又はＨＤＤ３７等の記憶装置に受信画像データが蓄積される。このとき、受信画像データ全てを蓄積することができれば問題はないが、受信画像データの情報量又は記憶装置の記憶容量によっては、受信画像データ全てを蓄積することができないことがある。このような場合には、画像データの受信そのものが中断されてしまうことになる。
【０２２２】
このような問題を解決するために、この発明の画像形成装置では、所定サイズの用紙切れ発生時に回転印刷が実行できない場合、用紙サイズを変更して印刷を続行する。この用紙サイズを変更して印刷を続行する用紙サイズ変更印刷処理を実行するにあたり、変更される用紙サイズは図１４及び図１５のフローチャートに示す給紙元切り替え可否判断部において決定される。ここで、給紙元切り替え可否判断部における処理を図５４のフローチャートにより説明する。
【０２２３】
まず、最初にジョブが種別される（ＳＴ３２２）。複写機能による複写ジョブ、及びプリンタ機能によるプリントジョブの場合には、用紙サイズ変更印刷処理は実行されない。つまり、給紙元変更不可の判断が下される（ＳＴ３２４）。ファクシミリ機能によるＦＡＸジョブの場合には、用紙サイズ変更印刷処理が実行される。
【０２２４】
印刷対象の画像データにより指定される指定用紙サイズより大きいサイズの用紙が得られる場合には（ＳＴ３２６、ＹＥＳ）、この指定サイズより大きいサイズの用紙に給紙元が変更される（ＳＴ３３６、ＳＴ３３８）。つまり、指定サイズより大きいサイズの用紙が得られる場合には、この指定サイズより大きいサイズの用紙に印刷処理が行われる。
【０２２５】
印刷対象の画像データにより指定される指定用紙サイズより小さいサイズの用紙しか得られない場合には（ＳＴ３２６、ＮＯ）、図５５に示す解像度と許容変更倍率との関係を示すテーブルから、許容変更倍率が求められる（ＳＴ３２８）。この求められた許容変更倍率により、指定用紙サイズより小さいサイズの用紙に印刷出力できる場合には（ＳＴ３３０、ＹＥＳ）、この指定サイズより小さいサイズの用紙に給紙元が変更される（ＳＴ３３４、ＳＴ３３８）。求められた許容変更倍率により、指定用紙サイズより小さいサイズの用紙に印刷出力できない場合には（ＳＴ３３０、ＮＯ）、給紙元は変更されない（ＳＴ３３２、ＳＴ３３８）。つまり、指定サイズより小さいサイズの用紙が得られ、且つ許容変更倍率によりこの用紙に印刷出力可能な場合には、この指定サイズより小さいサイズの用紙に許容変更倍率に従って印刷処理が行われる。これにより、用紙切れ発生時における印刷処理を十分にサポートすることができる。
【０２２６】
以下、上記説明した第１〜第８の実施形態による作用効果をまとめると次の通りである。
【０２２７】
第１の実施形態によると、複写機能、ファクシミリ機能、及びプリンタ機能等のジョブ種別に応じて印刷順序（昇順又は降順）が決定され、さらに印刷順序に応じて排出方法（フェースアップ又はフェースダウン）が決定されるので、複写機能、ファクシミリ機能、及びプリンタ機能夫々の特徴を損なうことなく画像形成処理を実行することができる。さらに、画像データを記憶する記憶装置における記憶容量の残量に応じて印刷順序が切り替えられるので、メモリフルによるエラーを防止することもできる。
【０２２８】
第２の実施形態〜第７の実施形態によると、複写機能、ファクシミリ機能、及びプリンタ機能等のジョブ種別により異なる画像データの獲得時の特徴に基づいて、ページメモリに展開される画像データの上下左右が判断されるので、各機能により異なる画像データの展開状態を吸収して各種処理（コーナリング処理、縮小連結処理、定型分割処理、綴じ代処理、両面印刷処理、両面入力処理、ステイプル処理等）を正確に実行することができる。
【０２２９】
第２の実施形態によると、複写機能、ファクシミリ機能、及びプリンタ機能等のジョブの種別によって、画像の展開位置を重視するものと、他の要素（通信時間等）を重視するものがあることに着目して処理が実行される。例えば、ファクシミリ機能実行時には副走査方向に関してセンタリング処理及びコーナリング処理を一部解除することにより、無用な通信時間の増加を防止することができる。これにより、複写機能及びプリンタ機能においては従来のセンタリング処理及びコーナリング処理を維持することができる。
【０２３０】
また、センタリング処理又はコーナリング処理と綴じ代処理が重複して指定されたときには、センタリング処理及びコーナリング処理を綴じ代に直交する方向に関してはセンタリング処理、コーナリング処理を解除する機能を設けることによって、綴じ代処理による画像のシフトによって失うデータを最小限にとどめることが可能となった。
【０２３１】
第３の実施形態によると、ファクシミリ機能実行時に縮小連結処理が指定されているとき、所定解像度より低い解像度の画像データが受信されると、縮小連結処理が無効とされる。これにより、ファクシミリにより受信された原稿の内容が確認できないような縮小連結処理が防止できる（無意味な編集の防止）。
【０２３２】
第５の実施形態によると、複写機能及びプリンタ機能による両面印刷処理において綴じ代が指定されている場合には用紙の第１面（表面）及び第２面（裏面）に形成される画像の結合軸が綴じ代方向に決定される。複写機能及びプリンタ機能による両面印刷処理において綴じ代が指定されていない場合には用紙の第１面及び第２面に形成される画像の結合軸が主走査方向に決定される。ファクシミリ機能による両面印刷処理においては用紙の第１面及び第２面に形成される画像の結合軸が副走査方向に決定される。これにより、綴じ代との関係で不整合が生じない印刷結果が得られ、綴じ代無効の時はジョブ種別に関わらず画像の横にあたる方向（左右方向）が結合軸となり、ユーザがジョブの種別を意識せずに、両面印刷を行うことが可能となる。
【０２３３】
第６の実施形態によると、複写機能による両面原稿入力時には入力画像データに対して編集で必要な回転のみ加えてファイル化され、ファクシミリ機能による両面原稿入力時には原稿の第１面に相当する入力画像データに対して編集で必要な回転のみ加えてファイル化され、第２面に相当する入力画像データに対して編集で必要な回転に加えてさらに１８０度回転してファイル化される。これにより、画像の方向をそろえてファイル化することが可能となり、複写機能実行時には片面原稿か両面原稿かという情報と関係なく印刷処理を行うことが可能となり、ファクシミリ機能実行時には受信側には原稿が片面原稿だったか両面原稿だったかという情報が伝わらなくても画像の方向がそろった印刷結果を得ることが可能となる。
【０２３４】
第７の実施形態によると、ステープルの位置を変更することが可能なフィニッシャとそうでないものの２種類のオプションが用意されている場合、夫々のフィニッシャの特徴を十分に生かしたステープル処理ができる様に、装着されているフィニッシャーに応じて画像の回転印刷の角度を変えることによって、ステープルエラーの発生を最小限に抑えることが可能となった。ステープルエラーとは、指定位置にステープル処理ができない場合にステープル処理が中止される処理のことを示す。
【０２３５】
また、ステープルの位置を変更することが可能なフィニッシャとそうでないものの２種類のオプションが用意されている場合、それぞれのフィニッシャの特徴を十分に生かしたステープル処理ができる様に、装着されているフィニッシャに応じて、画像の回転印刷の角度を変え、さらに初期設定で許可されていれば用紙を反転させることによって、ステープルエラーの発生を最小限に抑えることが可能となった。
【０２３６】
第８の実施形態によれば、複写機能、ファクシミリ機能、及びプリンタ機能等のジョブ種別に応じて、用紙切れ発生時における対応が行われる。例えば、複写機能実行時及びプリンタ機能実行に用紙切れが発生した場合には、印刷処理は中断される。ファクシミリ機能実行に用紙切れが発生した場合には、指定サイズの用紙より大きいサイズの用紙がある場合には大きいサイズの用紙に、指定サイズの用紙より大きいサイズの用紙がなく指定サイズの用紙より小さいサイズの用紙がある場合には縮小してこの小さいサイズの用紙に印刷処理を行う。これにより、用紙切れによるファクシミリ通信エラーを回避することができる。
【図面の簡単な説明】
【０２３７】
【図１】この発明の一実施の形態に係る複合型画像形成装置（マルチファンクション型複写装置）の外観の一例を示す斜視図。
【図２】図１に示す複合型画像形成装置の内部構成の一例を構造的に示す概略図。
【図３】図１に示す複合型画像形成装置の内部構成の一例を機能的に示すブロック図。
【図４】図３に示すＦＡＸＣ部の構成の一例を示すブロック図。
【図５】図１及び図３に示す操作パネルの構成の一例を示す図。
【図６】図５に示すタッチパネルディスプレイの構成の一例を示すブロック図。
【図７】図１〜図３に示す複合型画像形成装置で用いる標準的なＧ３ファクシミリ通信プ口トコルの流れを示し、特に、送信データを１頁だけ送信する場合（後続頁無し）のＧ３ファクシミリ通信プロトコルの流れを例示する図。
【図８】図１〜図３に示す複合型画像形成装置で用いる標準的なＧ３ファクシミリ通信プ口トコルの流れを示し、特に、送信条件を変更せずに複数頁の送信データを送信する場合のＧ３ファクシミリ通信プロトコルの流れを例示する図。
【図９】図１〜図３に示す複合型画像形成装置で用いる標準的なＧ３ファクシミリ通信プ口トコルの流れを示し、特に、送信条件を変更して複数頁の送信データ（後続頁有り）を送信する場合の通信プロトコルの流れを例示する図である。
【図１０】図１〜図３に示す複合型画像形成装置の全体構成の一例を示す概略図。
【図１１】図３に示すＰＲＮＣの構成の一例を示す概略図。
【図１２】図１０に示す入出力制御部の構成の一例を示す概略図。
【図１３】図１２に示す原稿データ入力部により実行される原稿入力処理を示すフローチャート図。
【図１４】図１２に示す画像データ印刷部により実行される印刷処理を示すフローチャート図。
【図１５】図１２に示す画像データ印刷部により実行される印刷処理を示すフローチャート図。
【図１６】図１０に示す全体制御部、入出出力制御部、複写制御部、プリント制御部、及びＦＡＸ通信制御部における各種ジョブ制御に関するパラメータを保管するジョブパラメータテーブルの一例を示す図。
【図１７】図１２に示す原稿データ入力部における入力処理、及び原稿データ印刷部における印刷処理に必要とされるパラメータを保管するパラメータテーブルの一例を示す図。
【図１８】ポートレート原稿（縦長原稿）及びランドスケープ原稿（横長原稿）のイメージ図。
【図１９】複写機能、ファクシミリ機能、及びプリンタ機能毎に分けて、画像データの転送方向及び画像データの展開状態を説明する図。
【図２０】ＱＮＴ／ＰＭに対する画像書き込み方向を説明する図。
【図２１】昇順印刷時に実行されるフェースダウンによる排出、及び降順印刷時に実行されるフェースアップによる排出のイメージを現す図。
【図２２】第１の実施形態において実行される印刷出力制御を示すフローチャート図。
【図２３】センタリング処理及びコーナリング処理のイメージを現す図。
【図２４】図１４及び図１５のフローチャート図におけるページメモリの書き込み位置計算処理を具体的に示すフローチャート図。
【図２５】図１４及び図１５のフローチャート図におけるページメモリの書き込み位置計算処理を具体的に示すフローチャート図。
【図２６】ページメモリに対する画像の書き込み処理を示すフローチャート図。
【図２７】綴じ代によるコーナリング処理位置変換テーブルの一例を示す図。
【図２８】コーナリング処理位置変換テーブルの一例を示す図。
【図２９】綴じ代処理位置変換テーブルの一例を示す図。
【図３０】綴じ代処理位置変換テーブルの一例を示す図。
【図３１】綴じ代処理の前提を説明する図。
【図３２】複写機能実行時における綴じ代処理を説明する図。
【図３３】ファクシミリ機能実行時における綴じ代処理を説明する図。
【図３４】プリンタ機能実行時における綴じ代処理を説明する図。
【図３５】縮小連結処理の前提を説明する図。
【図３６】縮小連結処理の前提を説明する図。
【図３７】縮小連結処理／定型分割処理テーブルの一例を示す図。
【図３８】縮小連結処理／定型分割処理テーブルの一例を示す図。
【図３９】縮小連結処理／定型分割処理テーブルの一例を示す図。
【図４０】縮小連結処理／定型分割処理テーブルの一例を示す図。
【図４１】縮小連結処理／定型分割処理テーブルの一例を示す図。
【図４２】縮小連結処理／定型分割処理テーブルの一例を示す図。
【図４３】ページメモリ上の座標と領域の関係を示す図。
【図４４】定型分割処理の前提を説明する図。
【図４５】図１３のフローチャート図における読み取り位置計算処理を具体的に示すフローチャート図。
【図４６】主走査方向を結合軸とした両面印刷処理結果のイメージを現す図。
【図４７】副走査方向を結合軸とした両面印刷処理結果のイメージを現す図。
【図４８】図１４及び図１５のフローチャート図における回転角度の算出処理を具体的に示すフローチャート図。
【図４９】フィニッシャによるステイプル打ちを説明する図。
【図５０】フィニッシャによるステイプル打ちを説明する図。
【図５１】フィニッシャによるステイプル打ちを説明する図。
【図５２】ステイプル処理の際に必要とされる画像回転角度テーブルの一例を示す図。
【図５３】ステイプル処理の際に必要とされる画像回転角度テーブルの一例を示す図。
【図５４】図１４及び図１５のフローチャート図における給紙元切り替え可否判定処理を具体的に示すフローチャート図。
【図５５】ファクシミリ機能実行時に受信される画像データの解像度に対する許容変更倍率の関係を示す図。
【符号の説明】
【０２３８】
３０…メインＣＰＵ
３４…ＮＶＲＡＭ
３７…ＨＤＤ
３８…ＯＤＤ
４２…ＩＰＵ
４４…ページメモリ
５０…スキャナ部
５２…プリンタ部
５６…ＳＣＳＩ
５８…ＦＡＸＣ
６８…ファイルメモリ
１０２…タッチパネル
１０６…タッチパネル制御部
１１２…入出力制御部
１１４…複写制御部
１１６…操作パネル制御部
１１８…全体制御部
１２０…ＦＡＸ通信制御部
１２２…プリント制御部
【図１】
2005304032.tif 000003
【図２】
2005304032.tif 000004
【図３】
2005304032.tif 000005
【図４】
2005304032.tif 000006
【図５】
2005304032.tif 000007
【図６】
2005304032.tif 000008
【図７】
2005304032.tif 000009
【図８】
2005304032.tif 000010
【図９】
2005304032.tif 000011
【図１０】
2005304032.tif 000012
【図１１】
2005304032.tif 000013
【図１２】
2005304032.tif 000014
【図１３】
2005304032.tif 000015
【図１４】
2005304032.tif 000016
【図１５】
2005304032.tif 000017
【図１６】
2005304032.tif 000018
【図１７】
2005304032.tif 000019
【図１８】
2005304032.tif 000020
【図１９】
2005304032.tif 000021
【図２０】
2005304032.tif 000022
【図２１】
2005304032.tif 000023
【図２２】
2005304032.tif 000024
【図２３】
2005304032.tif 000025
【図２４】
2005304032.tif 000026
【図２５】
2005304032.tif 000027
【図２６】
2005304032.tif 000028
【図２７】
2005304032.tif 000029
【図２８】
2005304032.tif 000030
【図２９】
2005304032.tif 000031
【図３０】
2005304032.tif 000032
【図３１】
2005304032.tif 000033
【図３２】
2005304032.tif 000034
【図３３】
2005304032.tif 000035
【図３４】
2005304032.tif 000036
【図３５】
2005304032.tif 000037
【図３６】
2005304032.tif 000038
【図３７】
2005304032.tif 000039
【図３８】
2005304032.tif 000040
【図３９】
2005304032.tif 000041
【図４０】
2005304032.tif 000042
【図４１】
2005304032.tif 000043
【図４２】
2005304032.tif 000044
【図４３】
2005304032.tif 000045
【図４４】
2005304032.tif 000046
【図４５】
2005304032.tif 000047
【図４６】
2005304032.tif 000048
【図４７】
2005304032.tif 000049
【図４８】
2005304032.tif 000050
【図４９】
2005304032.tif 000051
【図５０】
2005304032.tif 000052
【図５１】
2005304032.tif 000053
【図５２】
2005304032.tif 000054
【図５３】
2005304032.tif 000055
【図５４】
2005304032.tif 000056
【図５５】
2005304032.tif 000057